(57)【要約】【課題】電源システムにおいて、電力損失を抑えて、消費電力を少なくする。【解決手段】電源システム１は、所定の電圧Ｖｉｎの直流電源２が接続される入力部４と、外部装置３の負荷８に電力を供給するための定電圧回路６Ａ〜６Ｃと、入力部４から定電圧回路６Ａ〜６Ｃに流れるシステム電流Ｉｓを制御するシステム電流制御部７とを備える。定電圧回路６Ａ〜６Ｃは、入力部４の入力端子４ａ、４ｂ間に直列接続されている。システム電流Ｉｓの電流値は、システム電流制御部７によって、定電圧回路６Ａ〜６Ｃの安定動作に必要最小限の電流値に制御される。定電圧回路６Ａ〜６Ｃが直列に接続されているので、定電圧回路６Ａで利用された電流は、定電圧回路６Ｂで再利用され、また、定電圧回路６Ｂで利用された電流は、定電圧回路６Ｃで再利用される。これにより、電力損失を抑えて、消費電力を少なくすることができる。【選択図】図１
2012060692.tif 000002
【特許請求の範囲】
【請求項１】
所定の電圧の直流電源が接続される入力部と、
前記入力部の入力端子間に直列接続された、負荷に電力を供給するための少なくとも２つ以上の定電圧回路と、
前記入力部から前記定電圧回路に流れるシステム電流を制御するシステム電流制御手段と、
を備えることを特徴とする電源システム。
【請求項２】
前記システム電流制御手段は、前記システム電流の電流値を制御可能な定電流回路である、
ことを特徴とする請求項１に記載の電源システム。
【請求項３】
前記システム電流制御手段は、前記システム電流の電流値を、前記少なくとも２つ以上の定電圧回路のうちの少なくとも１つの定電圧回路の安定動作に必要最小限の電流値となるように制御する、
ことを特徴とする請求項１又は請求項２に記載の電源システム。
【請求項４】
前記システム電流制御手段は、前記システム電流の電流値を、前記少なくとも２つ以上の定電圧回路のうちの少なくとも１つの定電圧回路の出力電圧が所定の電圧値となるように負帰還制御する、
ことを特徴とする請求項３に記載の電源システム。
【請求項５】
前記定電圧回路は、シャントレギュレータであり、
前記システム電流制御手段は、前記システム電流の電流値を、前記少なくとも２つ以上の定電圧回路のうちの少なくとも１つの定電圧回路のシャント電流が所定の電流値となるように負帰還制御する、
ことを特徴とする請求項３に記載の電源システム。
【請求項６】
前記システム電流制御手段は、前記システム電流の電流値を、前記少なくとも２つ以上の定電圧回路の全ての定電圧回路の安定動作に必要最小限の電流値となるように制御する、
ことを特徴とする請求項３に記載の電源システム。
【請求項７】
前記システム電流制御手段は、レジスタを有し、前記システム電流の電流値を、前記レジスタのデータに基いて決定する、
ことを特徴とする請求項１乃至請求項６のいずれか一項に記載の電源システム。
【請求項８】
前記少なくとも２つ以上の定電圧回路のうちの少なくとも１つの定電圧回路は、出力電圧が所定の電圧値以下になると、警報信号を前記システム電流制御手段に送出し、
前記システム電流制御手段は、前記定電圧回路から前記警報信号を受け取ると、前記システム電流の電流値を増加させる、
ことを特徴とする請求項１乃至請求項６のいずれか一項に記載の電源システム。
【請求項９】
前記少なくとも２つ以上の定電圧回路のうちの少なくとも１つの定電圧回路は、シャントレギュレータであり、シャント電流が所定の電流値以下になると、警報信号を前記システム電流制御手段に送出し、
前記システム電流制御手段は、前記定電圧回路から前記警報信号を受け取ると、前記システム電流の電流値を増加させる、
ことを特徴とする請求項１乃至請求項６のいずれか一項に記載の電源システム。
【請求項１０】
前記システム電流制御手段は、前記システム電流を一部分流して、その分流したシステム電流を、前記少なくとも２つ以上の定電圧回路のうちの少なくとも１つの定電圧回路を迂回させるように制御可能である、
ことを特徴とする請求項１乃至請求項６のいずれか一項に記載の電源システム。
【請求項１１】
前記システム電流制御手段は、前記定電圧回路から前記警報信号を受け取っていない場合には、前記システム電流の電流値を低下させる、
ことを特徴とする請求項８又は請求項９に記載の電源システム。
【請求項１２】
前記システム電流制御手段には、前記少なくとも２つ以上の定電圧回路のうちの少なくとも１つの定電圧回路に接続される負荷に流すべき負荷電流についての設定情報が与えられ、
前記システム電流制御手段は、前記システム電流の電流値を、前記負荷電流についての設定情報に基いて決定する、
ことを特徴とする請求項７乃至請求項１１のいずれか一項に記載の電源システム。
【請求項１３】
前記定電圧回路は、その出力電圧が制御可能であり、
前記定電圧回路の出力電圧を制御する出力電圧制御手段をさらに備え、
前記出力電圧制御手段は、出力電圧設定情報に基いて、前記定電圧回路の出力電圧を制御する、
ことを特徴とする請求項１乃至請求項１２のいずれか一項に記載の電源システム。
【請求項１４】
前記少なくとも２つ以上の定電圧回路のうちの少なくとも１つの定電圧回路は、複数の負荷が並列接続され得る、
ことを特徴とする請求項１乃至請求項１３のいずれか一項に記載の電源システム。
【請求項１５】
前記少なくとも２つ以上の定電圧回路の出力電流の電流値の大小関係を表示する表示手段をさらに備える、
ことを特徴とする請求項１４に記載の電源システム。
【請求項１６】
前記定電圧回路に接続されている負荷への電力供給を遮断又は制限する電力供給遮断制限手段をさらに備える、
ことを特徴とする請求項１乃至請求項１５のいずれか一項に記載の電源システム。
【請求項１７】
前記定電圧回路をバイパスするバイパス手段をさらに備える、
ことを特徴とする請求項１乃至請求項１５のいずれか一項に記載の電源システム。
【請求項１８】
前記定電圧回路の出力電圧又は出力電流を監視することにより過負荷を検出する回路監視手段をさらに備え、
前記回路監視手段は、過負荷を検出したときに、
過負荷の原因となっている負荷への電力供給を遮断又は制限するように、前記電力供給遮断制限手段を制御し、
又は、過負荷の原因となっている定電圧回路をバイパスするように、前記バイパス手段を制御する、
ことを特徴とする請求項１６又は請求項１７に記載の電源システム。
【請求項１９】
前記システム電流を遮断又は制限するシステム電流遮断制限手段と、
前記少なくとも２つ以上の定電圧回路の全ての定電圧回路の出力電圧の合計電圧又は前記システム電流を監視することにより過負荷を検出するシステム監視手段とをさらに備え、
前記システム監視手段は、過負荷を検出したときに、前記システム電流を遮断又は制限するように、前記システム電流遮断制限手段を制御する、
ことを特徴とする請求項１乃至請求項１５のいずれか一項に記載の電源システム。
【請求項２０】
前記少なくとも２つ以上の定電圧回路の全ての定電圧回路の出力電圧の合計電圧又は前記システム電流を監視することにより過負荷を検出するシステム監視手段をさらに備え、
前記システム監視手段は、過負荷を検出したときに、
所定のルーチンに基いて、前記少なくとも２つ以上の定電圧回路の中から、過負荷の原因となっている負荷が接続されている定電圧回路を割り出し、
前記割り出した定電圧回路に接続されている負荷への電力供給を遮断又は制限するように、前記電力供給遮断制限手段を制御し、
又は、前記割り出した定電圧回路をバイパスするように、前記バイパス手段を制御する、
ことを特徴とする請求項１６又は請求項１７に記載の電源システム。
【請求項２１】
前記少なくとも２つ以上の定電圧回路のうちの任意の１つの定電圧回路について、その定電圧回路の接続点における本電源システムの最低電位を基準とした電位の値が、その定電圧回路を含んでそれより電位の低い側に接続されている各定電圧回路の出力電圧設定情報の示す設定電圧値の和に対して、所定値以上の差がある電位不整合状態か否かを検出する電位監視手段をさらに備え、
前記電位監視手段は、電位不整合状態を検出したときに、
電位不整合状態の原因となっている定電圧回路に接続されている負荷への電力供給を遮断又は制限するように、前記電力供給遮断制限手段を制御し、
又は、電位不整合状態の原因となっている定電圧回路をバイパスするように、前記バイパス手段を制御する、
ことを特徴とする請求項１６又は請求項１７に記載の電源システム。
【請求項２２】
前記電位監視手段は、
所定のルーチンに基いて、前記少なくとも２つ以上の定電圧回路の中から、電位不整合状態の原因となっている定電圧回路を割り出し、
前記割り出した定電圧回路に接続されている負荷への電力供給を遮断又は制限するように、前記電力供給遮断制限手段を制御し、
又は、前記割り出した定電圧回路をバイパスするように、前記バイパス手段を制御する、
ことを特徴とする請求項２１に記載の電源システム。
【請求項２３】
前記定電圧回路に接続される負荷を有する外部装置からの異常診断情報に基いて、前記定電圧回路、又は前記定電圧回路に接続されている負荷の異常を検出する異常監視手段をさらに備え、
前記異常監視手段は、異常を検出したときに、
前記異常診断情報に基いて、異常のある定電圧回路、又は異常のある負荷が接続されている定電圧回路を割り出し、
前記割り出した定電圧回路に接続されている負荷への電力供給を遮断又は制限するように、前記電力供給遮断制限手段を制御し、
又は、前記割り出した定電圧回路をバイパスするように、前記バイパス手段を制御する、
ことを特徴とする請求項１６又は請求項１７に記載の電源システム。
【請求項２４】
前記定電圧回路に接続される負荷を有する外部装置との間で双方向通信を行う通信部をさらに備える、
ことを特徴とする請求項１乃至請求項２３のいずれか一項に記載の電源システム。
【請求項２５】
前記定電圧回路は、シャントレギュレータであり、該シャントレギュレータとして、ツェナーダイオードが使用されている、
ことを特徴とする請求項１乃至請求項２４のいずれか一項に記載の電源システム。
【発明の詳細な説明】
【技術分野】
【０００１】
本発明は、電力を供給する電源システムに関するものである。
【背景技術】
【０００２】
従来から、電力を供給する電源システムにおいて、図２１に示す構成のものがある。この電源システム１００は、直流電源１０１に、複数の外部装置１０２Ａ、１０２Ｂ、１０２Ｃが並列に接続されている。外部装置１０２Ａは、負荷１０３Ａと、負荷１０３Ａに電力を供給するための定電圧回路１０４Ａとを備えている。同様に、外部装置１０２Ｂは、負荷１０３Ｂと、負荷１０３Ｂに電力を供給するための定電圧回路１０４Ｂとを備えており、外部装置１０２Ｃは、負荷１０３Ｃと、負荷１０３Ｃに電力を供給するための定電圧回路１０４Ｃとを備えている。
【０００３】
定電圧回路１０４Ａ、１０４Ｂ、１０４Ｃは、各々、直流電源１０１からの電力供給を受けて、負荷１０３Ａ、１０３Ｂ、１０３Ｃに電力を供給する。定電圧回路１０４Ａ、１０４Ｂ、１０４Ｃは、直流電源１０１に並列に接続されているため、定電圧回路１０４Ａ、１０４Ｂ、１０４Ｃには、各々、直流電源１０１の直流電圧Ｖｉｎが入力されることになる。定電圧回路１０４Ａ、１０４Ｂ、１０４Ｃは、各々、シリーズレギュレータであり、直流電源１０１から入力される入力電圧（直流電源１０１の直流電圧）Ｖｉｎを降圧して所定の出力電圧ＶＡ、ＶＢ、ＶＣを出力する。そして、定電圧回路１０４Ａ、１０４Ｂ、１０４Ｃは、各々、その出力電圧ＶＡ、ＶＢ、ＶＣを負荷１０３Ａ、１０３Ｂ、１０３Ｃに印加する。
【０００４】
このような構成の電源システム１００において、例えば、直流電源１０１の直流電圧（すなわち、各定電圧回路１０４Ａ、１０４Ｂ、１０４Ｃに入力される入力電圧）Ｖｉｎが２４Ｖであるとする。また、各定電圧回路１０４Ａ、１０４Ｂ、１０４Ｃの出力電圧ＶＡ、ＶＢ、ＶＣがＶＡ＝５Ｖ、ＶＢ＝５Ｖ、ＶＣ＝５Ｖであるとする。また、５Ｖ定格時において、各負荷１０３Ａ、１０３Ｂ、１０３Ｃに流れる負荷電流（各定電圧回路１０４Ａ、１０４Ｂ、１０４Ｃの出力電流）ＩＬＡ、ＩＬＢ、ＩＬＣがＩＬＡ＝１００ｍＡ、ＩＬＢ＝７０ｍＡ、ＩＬＣ＝１１０ｍＡであるとする。また、各定電圧回路１０４Ａ、１０４Ｂ、１０４Ｃ自身の消費電流ＩｃがＩｃ＝１ｍＡであるとする。
【０００５】
そうすると、電源システム１００に流れるシステム電流Ｉｓは、直流電源１０１に外部装置１０２Ａ、１０２Ｂ、１０２Ｃが並列に接続されていることから、直流電源１０１から各外部装置１０２Ａ〜１０２Ｃに流れる入力電流ＩＡ〜ＩＣの和となる。つまり、システム電流Ｉｓは、負荷１０３Ａ〜１０３Ｃに流れる負荷電流ＩＬＡ〜ＩＬＣと、定電圧回路１０４Ａ〜１０４Ｃ自身の消費電流Ｉｃの総和となり、Ｉｓ＝（１００ｍＡ＋１ｍＡ）＋（７０ｍＡ＋１ｍＡ）＋（１１０ｍＡ＋１ｍＡ）＝２８３ｍＡとなる。従って、電源システム１００と負荷１０３Ａ〜１０３Ｃを含めた全体の消費電力Ｐｓは、Ｐｓ＝Ｖｉｎ×Ｉｓ＝２４Ｖ×２８３ｍＡ＝６７９２ｍＷとなる。
【０００６】
一方、負荷１０３Ａ〜１０３Ｃの消費電力ＰＬは、ＰＬ＝（ＶＡ×ＩＬＡ）＋（ＶＢ×ＩＬＢ）＋（ＶＣ×ＩＬＣ）＝（５Ｖ×１００ｍＡ）＋（５Ｖ×７０ｍＡ）＋（５Ｖ×１１０ｍＡ）＝１４００ｍＷとなる。すなわち、全体の消費電力Ｐｓ＝６７９２ｍＷのうち、負荷１０３Ａ〜１０３Ｃの消費電力ＰＬ＝１４００ｍＷ以外の５３９２ｍＷの電力は、無駄に消費されており、損失されている。
【０００７】
この電力損失の大部分は、定電圧回路１０４Ａ〜１０４Ｃが、入力電圧Ｖｉｎを出力電圧ＶＡ〜ＶＣに降圧するために電力を消費することによるものであり、定電圧回路１０４Ａ〜１０４Ｃで発生する。この定電圧回路１０４Ａ〜１０４Ｃでの電力損失は、入力電圧Ｖｉｎと出力電圧ＶＡ〜ＶＣとの電圧差が大きいほど（入力電圧Ｖｉｎに対して、出力電圧ＶＡ〜ＶＣが低電圧であるほど）、大きくなる。
【０００８】
一方、電気２重層コンデンサの充電過電圧を検出する充電過電圧検出回路において、シャントレギュレータを直列に接続した構成を有するものが知られている（例えば特許文献１参照）。
【先行技術文献】
【特許文献】
【０００９】
【特許文献１】特開２００８−６１４６９号公報
【発明の概要】
【発明が解決しようとする課題】
【００１０】
ところで、従来の電源システム１００においては、定電圧回路１０４Ａ〜１０４Ｃが直流電源１０１に並列に接続されているため、各定電圧回路１０４Ａ〜１０４Ｃには、同じ入力電圧Ｖｉｎが入力される。このため、各定電圧回路１０４Ａ〜１０４Ｃの出力電圧ＶＡ〜ＶＣが異なる（外部装置１０２Ａ〜１０２Ｃの定格電圧が異なる）と、各定電圧回路１０４Ａ〜１０４Ｃの入力電圧Ｖｉｎと出力電圧ＶＡ〜ＶＣとの電圧差が異なることになる。その結果、定電圧回路１０４Ａ〜１０４Ｃの入力電圧Ｖｉｎと出力電圧ＶＡ〜ＶＣとの電圧差が必要以上に大きくなることが生じ得る。入力電圧Ｖｉｎと出力電圧ＶＡ〜ＶＣとの電圧差が大きくなると、定電圧回路１０４Ａ〜１０４Ｃでの電力損失が大きくなり、消費電力が多くなる。
【００１１】
そこで、従来の電源システム１００において、入力電圧Ｖｉｎから出力電圧ＶＡ〜ＶＣを得るために、外部装置１０２Ａ〜１０２Ｃの定電圧回路１０４Ａ〜１０４Ｃとして、ＤＣ／ＤＣコンバータを用いることが考えられる。ＤＣ／ＤＣコンバータを用いれば、シリーズレギュレータを用いる場合と比較して、エネルギー効率が改善し、電力損失を抑えることができる。しかしながら、外部装置１０２Ａ〜１０２Ｃが小型機器の場合、サイズ的な観点から、外部装置１０２Ａ〜１０２ＣがＤＣ／ＤＣコンバータを持つのは難しい。また、外部装置１０２Ａ〜１０２Ｃの定格電圧は全て同じとは限らず、外部装置１０２Ａ〜１０２Ｃが共通の同じ種類のＤＣ／ＤＣコンバータを持てない場合もある。
【００１２】
一方、現在及び今後の一般的な動向として、太陽光発電、電気自動車用バッテリ、直流配電等の直流電源（これらの直流電源の電源電圧は、変動しがちである）が増えることが予測される。また、半導体プロセスの微細化、高速化により、外部装置の定格電圧は、多様化すると共に、低電圧化が進展することが予測される。従って、これら今後の予測される状況において、従来の電源システム１００を使用したのでは、定電圧回路１０４Ａ〜１０４Ｃでの電力損失がますます大きくなる。
【００１３】
本発明は、上記課題を解決するためになされたものであり、電力損失を抑えて、消費電力を少なくすることができる電源システムを提供することを目的とする。
【課題を解決するための手段】
【００１４】
上記目的を達成するために本発明の電源システムは、所定の電圧の直流電源が接続される入力部と、入力部の入力端子間に直列接続された、負荷に電力を供給するための少なくとも２つ以上の定電圧回路と、入力部から定電圧回路に流れるシステム電流を制御するシステム電流制御手段と、を備えるものである。
【００１５】
本発明の電源システムにおいて、システム電流制御手段は、システム電流の電流値を制御可能な定電流回路であるものが好ましい。
【００１６】
また、本発明の電源システムにおいて、システム電流制御手段は、システム電流の電流値を、少なくとも２つ以上の定電圧回路のうちの少なくとも１つの定電圧回路の安定動作に必要最小限の電流値となるように制御するものが好ましい。
【００１７】
また、本発明の電源システムにおいて、システム電流制御手段は、システム電流の電流値を、少なくとも２つ以上の定電圧回路のうちの少なくとも１つの定電圧回路の出力電圧が所定の電圧値となるように負帰還制御するものが好ましい。
【００１８】
また、本発明の電源システムにおいて、定電圧回路は、シャントレギュレータであり、システム電流制御手段は、システム電流の電流値を、少なくとも２つ以上の定電圧回路のうちの少なくとも１つの定電圧回路のシャント電流が所定の電流値となるように負帰還制御するものが好ましい。
【００１９】
また、本発明の電源システムにおいて、システム電流制御手段は、システム電流の電流値を、少なくとも２つ以上の定電圧回路の全ての定電圧回路の安定動作に必要最小限の電流値となるように制御するものが好ましい。
【００２０】
また、本発明の電源システムにおいて、システム電流制御手段は、レジスタを有し、システム電流の電流値を、レジスタのデータに基いて決定するものが好ましい。
【００２１】
また、本発明の電源システムにおいて、少なくとも２つ以上の定電圧回路のうちの少なくとも１つの定電圧回路は、出力電圧が所定の電圧値以下になると、警報信号をシステム電流制御手段に送出し、システム電流制御手段は、定電圧回路から警報信号を受け取ると、システム電流の電流値を増加させるものが好ましい。
【００２２】
また、本発明の電源システムにおいて、少なくとも２つ以上の定電圧回路のうちの少なくとも１つの定電圧回路は、シャントレギュレータであり、シャント電流が所定の電流値以下になると、警報信号をシステム電流制御手段に送出し、システム電流制御手段は、定電圧回路から警報信号を受け取ると、システム電流の電流値を増加させるものが好ましい。
【００２３】
また、本発明の電源システムにおいて、システム電流制御手段は、システム電流を一部分流して、その分流したシステム電流を、少なくとも２つ以上の定電圧回路のうちの少なくとも１つの定電圧回路を迂回させるように制御可能であるものが好ましい。
【００２４】
また、本発明の電源システムにおいて、システム電流制御手段は、定電圧回路から警報信号を受け取っていない場合には、システム電流の電流値を低下させるものが好ましい。
【００２５】
また、本発明の電源システムにおいて、システム電流制御手段には、少なくとも２つ以上の定電圧回路のうちの少なくとも１つの定電圧回路に接続される負荷に流すべき負荷電流についての設定情報が与えられ、システム電流制御手段は、システム電流の電流値を、負荷電流についての設定情報に基いて決定するものが好ましい。
【００２６】
また、本発明の電源システムにおいて、定電圧回路は、その出力電圧が制御可能であり、定電圧回路の出力電圧を制御する出力電圧制御手段をさらに備え、出力電圧制御手段は、出力電圧設定情報に基いて、定電圧回路の出力電圧を制御するものが好ましい。
【００２７】
また、本発明の電源システムにおいて、少なくとも２つ以上の定電圧回路のうちの少なくとも１つの定電圧回路は、複数の負荷が並列接続され得るものが好ましい。
【００２８】
また、本発明の電源システムにおいて、少なくとも２つ以上の定電圧回路の出力電流の電流値の大小関係を表示する表示手段をさらに備えるものが好ましい。
【００２９】
また、本発明の電源システムにおいて、定電圧回路に接続されている負荷への電力供給を遮断又は制限する電力供給遮断制限手段をさらに備えるものがさらに好ましい。
【００３０】
また、本発明の電源システムにおいて、定電圧回路をバイパスするバイパス手段をさらに備えるものが好ましい。
【００３１】
また、本発明の電源システムにおいて、定電圧回路の出力電圧又は出力電流を監視することにより過負荷を検出する回路監視手段をさらに備え、回路監視手段は、過負荷を検出したときに、過負荷の原因となっている負荷への電力供給を遮断又は制限するように、電力供給遮断制限手段を制御し、又は、過負荷の原因となっている定電圧回路をバイパスするように、バイパス手段を制御するものが好ましい。
【００３２】
また、本発明の電源システムにおいて、システム電流を遮断又は制限するシステム電流遮断制限手段と、少なくとも２つ以上の定電圧回路の全ての定電圧回路の出力電圧の合計電圧又はシステム電流を監視することにより過負荷を検出するシステム監視手段とをさらに備え、システム監視手段は、過負荷を検出したときに、システム電流を遮断又は制限するように、システム電流遮断制限手段を制御するものが好ましい。
【００３３】
また、本発明の電源システムにおいて、少なくとも２つ以上の定電圧回路の全ての定電圧回路の出力電圧の合計電圧又はシステム電流を監視することにより過負荷を検出するシステム監視手段をさらに備え、システム監視手段は、過負荷を検出したときに、所定のルーチンに基いて、少なくとも２つ以上の定電圧回路の中から、過負荷の原因となっている負荷が接続されている定電圧回路を割り出し、割り出した定電圧回路に接続されている負荷への電力供給を遮断又は制限するように、電力供給遮断制限手段を制御し、又は、割り出した定電圧回路をバイパスするように、バイパス手段を制御するものが好ましい。
【００３４】
また、本発明の電源システムにおいて、少なくとも２つ以上の定電圧回路のうちの任意の１つの定電圧回路について、その定電圧回路の接続点における本電源システムの最低電位を基準とした電位の値が、その定電圧回路を含んでそれより電位の低い側に接続されている各定電圧回路の出力電圧設定情報の示す設定電圧値の和に対して、所定値以上の差がある電位不整合状態か否かを検出する電位監視手段をさらに備え、電位監視手段は、電位不整合状態を検出したときに、電位不整合状態の原因となっている定電圧回路に接続されている負荷への電力供給を遮断又は制限するように、電力供給遮断制限手段を制御し、又は、電位不整合状態の原因となっている定電圧回路をバイパスするように、バイパス手段を制御するものが好ましい。
【００３５】
また、本発明の電源システムにおいて、電位監視手段は、所定のルーチンに基いて、少なくとも２つ以上の定電圧回路の中から、電位不整合状態の原因となっている定電圧回路を割り出し、割り出した定電圧回路に接続されている負荷への電力供給を遮断又は制限するように、電力供給遮断制限手段を制御し、又は、割り出した定電圧回路をバイパスするように、バイパス手段を制御するものが好ましい。
【００３６】
また、本発明の電源システムにおいて、定電圧回路に接続される負荷を有する外部装置からの異常診断情報に基いて、定電圧回路、又は定電圧回路に接続されている負荷の異常を検出する異常監視手段をさらに備え、異常監視手段は、異常を検出したときに、異常診断情報に基いて、異常のある定電圧回路、又は異常のある負荷が接続されている定電圧回路を割り出し、割り出した定電圧回路に接続されている負荷への電力供給を遮断又は制限するように、電力供給遮断制限手段を制御し、又は、割り出した定電圧回路をバイパスするように、バイパス手段を制御するものが好ましい。
【００３７】
また、本発明の電源システムにおいて、定電圧回路に接続される負荷を有する外部装置との間で双方向通信を行う通信部をさらに備えるものが好ましい。
【００３８】
また、本発明の電源システムにおいて、定電圧回路は、シャントレギュレータであり、該シャントレギュレータとして、ツェナーダイオードが使用されているものが好ましい。
【発明の効果】
【００３９】
本発明によれば、少なくとも２つ以上の定電圧回路が直列に接続されているので、電流が再利用され、これにより、電力損失を抑えて、消費電力を少なくすることができる。
【図面の簡単な説明】
【００４０】
【図１】本発明の第１の実施形態に係る電源システムの電気的ブロック構成図。
【図２】同電源システムの定電圧回路の回路図。
【図３】同電源システムの定電圧回路の別の構成を示す回路図。
【図４】本発明の第２の実施形態に係る電源システムの電気的ブロック構成図。
【図５】本発明の第３の実施形態に係る電源システムの電気的ブロック構成図。
【図６】本発明の第４の実施形態に係る電源システムの電気的ブロック構成図。
【図７】本発明の第５の実施形態に係る電源システムの電気的ブロック構成図。
【図８】本発明の第６の実施形態に係る電源システムの電気的ブロック構成図。
【図９】本発明の第７の実施形態に係る電源システムの電気的ブロック構成図。
【図１０】本発明の第８の実施形態に係る電源システムの電気的ブロック構成図。
【図１１】本発明の第９の実施形態に係る電源システムの筐体の側面図。
【図１２】本発明の第１０の実施形態に係る電源システムの電気的ブロック構成図。
【図１３】本発明の第１１の実施形態に係る電源システムの電気的ブロック構成図。
【図１４】本発明の第１２の実施形態に係る電源システムの電気的ブロック構成図。
【図１５】同電源システムの過負荷の原因となっている負荷が接続されている定電圧回路を割り出すルーチンを示すフローチャート。
【図１６】本発明の第１３の実施形態に係る電源システムの電気的ブロック構成図。
【図１７】同電源システムの電位不整合状態の原因となっている定電圧回路を割り出すルーチンを示すフローチャート。
【図１８】同電源システムの電位不整合状態の原因となっている定電圧回路を割り出す別のルーチンを示すフローチャート。
【図１９】本発明の第１４の実施形態に係る電源システムの電気的ブロック構成図。
【図２０】本発明の第１５の実施形態に係る電源システムの電気的ブロック構成図。
【図２１】従来の電源システムの電気的ブロック構成図。
【発明を実施するための形態】
【００４１】
以下、本発明を具体化した実施形態による電源システムについて図面を参照して説明する。
＜第１の実施形態＞
図１は、第１の実施形態による電源システムの構成を示す。電源システム１は、直流電源２及び外部装置３が接続され、外部装置３に電力を供給するものである。電源システム１は、直流電源２が接続される入力部４と、外部装置３が接続される複数の接続部５と、外部装置３に電力を供給するための複数の定電圧回路６と、電源システム１に流れるシステム電流Ｉｓを制御するシステム電流制御部７とを備える。システム電流制御部７によって、システム電流制御手段が構成されている。
【００４２】
入力部４は、入力端子４ａ、４ｂを有しており、入力端子４ａ、４ｂに直流電源２が接続される。直流電源２は、所定の直流電圧Ｖｉｎを出力する電源である。直流電源２は、＋極（正極）が入力端子４ａに接続され、−極（負極）が入力端子４ｂに接続されるように、入力部４に接続される。
【００４３】
複数の接続部５は、各々、接続端子５ａ、５ｂを有しており、接続端子５ａ、５ｂに外部装置３が接続される。本実施形態では、電源システム１は、３つの接続部５（５Ａ、５Ｂ、５Ｃ）を備えている。
【００４４】
外部装置３は、負荷８を備えている。負荷８には、外部装置３の外部から電力が供給されるようになっている。電源システム１は、電力を供給する外部装置３として、このような構成のものを対象としている。
【００４５】
外部装置３は、負荷８が接続端子５ａ、５ｂ間に接続されるように、接続部５に接続される。図示の例では、３つの外部装置３（３Ａ、３Ｂ、３Ｃ）が接続されている。すなわち、外部装置３Ａは、負荷８Ａが接続部５Ａの接続端子５ａ、５ｂ間に接続されるように、接続部５Ａに接続されている。また、外部装置３Ｂは、負荷８Ｂが接続部５Ｂの接続端子５ａ、５ｂ間に接続されるように、接続部５Ｂに接続されており、外部装置３Ｃは、負荷８Ｃが接続部５Ｃの接続端子５ａ、５ｂ間に接続されるように、接続部５Ｃに接続されている。
【００４６】
複数の定電圧回路６は、外部装置３の負荷８に電力を供給するためのものである。複数の定電圧回路６は、各々、入力ライン６ａ、６ｂ間に電力が供給されることにより、動作回路部６ｃが動作して、出力ライン６ｄ、６ｅ間に所定の出力電圧を出力する回路である。定電圧回路６は、接続部５と同じ個数備えられている。すなわち、本実施形態では、電源システム１は、３つの定電圧回路６（６Ａ、６Ｂ、６Ｃ）を備えている。
【００４７】
複数の定電圧回路６は、入力部４の入力端子４ａ、４ｂ間に直列接続されている。すなわち、定電圧回路６Ａの入力ライン６ａは、入力部４の入力端子４ａに接続され、定電圧回路６Ｂの入力ライン６ａは、定電圧回路６Ａの入力ライン６ｂに接続され、定電圧回路６Ｃの入力ライン６ａは、定電圧回路６Ｂの入力ライン６ｂに接続されている。そして、定電圧回路６Ｃの入力ライン６ｂは、入力部４の入力端子４ｂに接続されている。従って、複数の定電圧回路６Ａ、６Ｂ、６Ｃは、入力部４に接続された直流電源２に直列に接続された状態となる。
【００４８】
また、複数の定電圧回路６は、各々、出力ライン６ｄ、６ｅが接続部５に接続されている。すなわち、定電圧回路６Ａの出力ライン６ｄは、接続部５Ａの接続端子５ａに接続されており、定電圧回路６Ａの出力ライン６ｅは、接続部５Ａの接続端子５ｂに接続されている。また、定電圧回路６Ｂの出力ライン６ｄは、接続部５Ｂの接続端子５ａに接続されており、定電圧回路６Ｂの出力ライン６ｅは、接続部５Ｂの接続端子５ｂに接続されている。また、定電圧回路６Ｃの出力ライン６ｄは、接続部５Ｃの接続端子５ａに接続されており、定電圧回路６Ｃの出力ライン６ｅは、接続部５Ｃの接続端子５ｂに接続されている。
【００４９】
従って、接続部５Ａに接続された外部装置３Ａの負荷８Ａは、定電圧回路６Ａの出力ライン６ｄ、６ｅ間に接続された状態となる。また、接続部５Ｂに接続された外部装置３Ｂの負荷８Ｂは、定電圧回路６Ｂの出力ライン６ｄ、６ｅ間に接続された状態となる。また、接続部５Ｃに接続された外部装置３Ｃの負荷８Ｃは、定電圧回路６Ｃの出力ライン６ｄ、６ｅ間に接続された状態となる。
【００５０】
システム電流制御部７は、システム電流Ｉｓを制御するものである。システム電流Ｉｓは、電源システム１に流れる電流である。すなわち、システム電流Ｉｓは、直流電源２から電源システム１に入力される電流であって、入力部４から定電圧回路６Ａに流れる電流である。システム電流制御部７は、入力部４と定電圧回路６Ａとの間に設けられている。
【００５１】
システム電流制御部７は、抵抗値を変えることができる可変抵抗器１１である。可変抵抗器１１は、入力部４の入力端子４ａと定電圧回路６Ａの入力ライン６ａとの間に直列に接続されている。システム電流制御部７は、可変抵抗器１１の抵抗値によって、システム電流Ｉｓの電流値を制御するようになっている。すなわち、システム電流制御部７は、可変抵抗器１１の抵抗値が設定されることにより、システム電流Ｉｓの電流値が設定されて、システム電流Ｉｓの電流値をその設定された電流値となるようにする。また、システム電流制御部７は、可変抵抗器１１の抵抗値が変えられることにより、システム電流Ｉｓの電流値を変える。可変抵抗器１１の抵抗値は、不図示のボリュームスイッチを操作することによって、又は、例えばパソコンなどの外部制御装置から抵抗値を設定するための設定信号（設定すべき抵抗値を示す信号）を与えることによって、任意の抵抗値に設定される。
【００５２】
図２は、定電圧回路６Ａの構成を示す。定電圧回路６Ａは、シャントレギュレータであり、入力ライン６ａ、６ｂと、動作回路部６ｃと、出力ライン６ｄ、６ｅとを有している。動作回路部６ｃは、ＭＯＳＦＥＴ６ｆと、抵抗６ｇ、６ｈと、基準電源６ｉと、オペアンプ６ｊとを有している。
【００５３】
ＭＯＳＦＥＴ６ｆは、Ｎ型のＭＯＳＦＥＴであり、ソースが入力ライン６ａに接続されており、ドレインが入力ライン６ｂに接続されており、ゲートがオペアンプ６ｊの出力端子に接続されている。抵抗６ｇは、一端がＭＯＳＦＥＴ６ｆのソースに接続されており、他端が抵抗６ｈの一端に接続されている。抵抗６ｈは、一端が抵抗６ｇの他端に接続されており、他端がＭＯＳＦＥＴ６ｆのドレインに接続されている。基準電源６ｉは、正極（＋極）がオペアンプ６ｊの反転入力端子に接続されており、負極（−極）が抵抗６ｈの他端とＭＯＳＦＥＴ６ｆのドレインとの間に接続されている。オペアンプ６ｊは、非反転入力端子が抵抗６ｇと抵抗６ｈとの間に接続されており、反転入力端子が基準電源６ｉの正極（＋極）に接続されており、出力端子がＭＯＳＦＥＴ６ｆのゲートに接続されている。出力ライン６ｄは、入力ライン６ａとＭＯＳＦＥＴ６ｆのソースとの間に接続されており、出力ライン６ｅは、ＭＯＳＦＥＴ６ｆのドレインと入力ライン６ａとの間に接続されている。
【００５４】
このような構成の定電圧回路６Ａは、入力ライン６ａ、６ｂ間に電力が供給されることにより、動作回路部６ｃが動作し、出力ライン６ｄ、６ｅ間に所定の出力電圧ＶＡを出力して、出力ライン６ｄ、６ｅ間に接続される負荷８Ａに電力を供給する。このとき、入力ライン６ａ、６ｂには、入力電流ＩＡが流れる。また、ＭＯＳＦＥＴ６ｆのソース、ドレイン間には、シャント電流ＩｓｈＡが流れ、抵抗６ｇ、６ｈには、消費電流Ｉｃが流れる。すなわち、動作回路部６ｃには、シャント電流ＩｓｈＡ及び消費電流Ｉｃが流れる。また、出力ライン６ｄ、６ｅ間に接続される負荷８Ａには、出力電流（負荷電流）ＩＬＡが流れる。入力電流ＩＡは、消費電流Ｉｃとシャント電流ＩｓｈＡと出力電流ＩＬＡの和である。定電圧回路６Ａは、基準電源６ｉ、抵抗６ｇ、６ｈ、オペアンプ６ｊ、ＭＯＳＦＥＴ６ｆの働きにより、シャント電流ＩｓｈＡの大きさが制御されることによって、出力ライン６ｄ、６ｅ間の出力電圧ＶＡを一定に保つ。すなわち、定電圧回路６Ａは、負荷８Ａに印加する電圧を定電圧化する。
【００５５】
定電圧回路６Ｂの構成は、定電圧回路６Ａと同様の構成である。すなわち、定電圧回路６Ｂは、入力ライン６ａ、６ｂ間に電力が供給されることにより、動作回路部６ｃが動作し、出力ライン６ｄ、６ｅ間に所定の出力電圧ＶＢを出力して、出力ライン６ｄ、６ｅ間に接続される負荷８Ｂに電力を供給する。このとき、入力ライン６ａ、６ｂには、入力電流ＩＢが流れ、動作回路部６ｃには、シャント電流ＩｓｈＢ及び消費電流Ｉｃが流れ、出力ライン６ｄ、６ｅ間に接続される負荷８Ｂには、出力電流（負荷電流）ＩＬＢが流れる。入力電流ＩＢは、消費電流Ｉｃとシャント電流ＩｓｈＢと出力電流ＩＬＢの和である。そして、定電圧回路６Ｂは、シャント電流ＩｓｈＢの大きさが制御されることによって、出力ライン６ｄ、６ｅ間の出力電圧ＶＢを一定に保って、負荷８Ｂに印加する電圧を定電圧化する。
【００５６】
また、定電圧回路６Ｃの構成も、定電圧回路６Ａと同様の構成である。すなわち、定電圧回路６Ｃは、入力ライン６ａ、６ｂ間に電力が供給されることにより、動作回路部６ｃが動作し、出力ライン６ｄ、６ｅ間に所定の出力電圧ＶＣを出力して、出力ライン６ｄ、６ｅ間に接続される負荷８Ｃに電力を供給する。このとき、入力ライン６ａ、６ｂには、入力電流ＩＣが流れ、動作回路部６ｃには、シャント電流ＩｓｈＣ及び消費電流Ｉｃが流れ、出力ライン６ｄ、６ｅ間に接続される負荷８Ｃには、出力電流（負荷電流）ＩＬＣが流れる。入力電流ＩＣは、消費電流Ｉｃとシャント電流ＩｓｈＣと出力電流ＩＬＣの和である。そして、定電圧回路６Ｃは、シャント電流ＩｓｈＣの大きさが制御されることによって、出力ライン６ｄ、６ｅ間の出力電圧ＶＣを一定に保って、負荷８Ｃに印加する電圧を定電圧化する。定電圧回路６Ａ、６Ｂ、６Ｃの仕様や特性は同一である。
【００５７】
このような構成の電源システム１において、システム電流Ｉｓは、入力部４から定電圧回路６Ａに流れる。ここで、定電圧回路６Ａ、６Ｂ、６Ｃは、入力部４の入力端子４ａ、４ｂ間に直列に接続されている。従って、システム電流Ｉｓは、定電圧回路６Ａの入力電流ＩＡとして定電圧回路６Ａに流れ、さらに、定電圧回路６Ｂの入力電流ＩＢとして定電圧回路６Ｂに流れ、さらに、定電圧回路６Ｃの入力電流ＩＣとして定電圧回路６Ｃに流れる。つまり、定電圧回路６Ａの入力電流ＩＡは、システム電流Ｉｓと等しく、また、定電圧回路６Ｂの入力電流ＩＢも、システム電流Ｉｓと等しく、また、定電圧回路６Ｃの入力電流ＩＣも、システム電流Ｉｓと等しい。
【００５８】
従って、システム電流Ｉｓとして、定電圧回路６Ａ〜６Ｃのうちの負荷電流（出力電流）が最大である定電圧回路の安定動作に必要な電流を流せば、その電流が各定電圧回路６Ａ〜６Ｃの入力電流ＩＡ〜ＩＣとして、各定電圧回路６Ａ〜６Ｃに流れることになる。つまり、システム電流Ｉｓとして、定電圧回路６Ａ〜６Ｃのうち、負荷電流が最大である定電圧回路の安定動作に必要な電流を流せば、全ての定電圧回路６Ａ〜６Ｃを安定動作させることができる。また、システム電流Ｉｓとして、負荷電流が最大である定電圧回路の安定動作に必要最小限の電流を流せば、不必要な電流を流さなくて済み、無駄な電力消費を抑えることができる。
【００５９】
例えば、直流電源２の直流電圧Ｖｉｎ、各定電圧回路６Ａ、６Ｂ、６Ｃの出力電圧ＶＡ、ＶＢ、ＶＣ、各負荷８Ａ、８Ｂ、８Ｃに流れる負荷電流ＩＬＡ、ＩＬＢ、ＩＬＣが図２１に示される従来例と同様であるとする。すなわち、直流電源２の直流電圧Ｖｉｎが２４Ｖであるとする。また、各定電圧回路６Ａ、６Ｂ、６Ｃの出力電圧ＶＡ、ＶＢ、ＶＣがＶＡ＝５Ｖ、ＶＢ＝５Ｖ、ＶＣ＝５Ｖであるとする。また、５Ｖ定格時において、各負荷８Ａ、８Ｂ、８Ｃに流れる負荷電流（各定電圧回路１０４Ａ、１０４Ｂ、１０４Ｃの出力電流）ＩＬＡ、ＩＬＢ、ＩＬＣがＩＬＡ＝１００ｍＡ、ＩＬＢ＝７０ｍＡ、ＩＬＣ＝１１０ｍＡであるとする。
【００６０】
また、各定電圧回路６Ａ、６Ｂ、６Ｃ自身の消費電流ＩｃがＩｃ＝１ｍＡであるとする。また、各定電圧回路６Ａ、６Ｂ、６Ｃの出力電圧ＶＡ、ＶＢ、ＶＣを安定的に発生させるためには、各定電圧回路６Ａ、６Ｂ、６Ｃのシャント電流ＩｓｈＡ、ＩｓｈＢ、ＩｓｈＣを１ｍＡ以上流しておくことが望ましい。従って、各定電圧回路６Ａ、６Ｂ、６Ｃのシャント電流ＩｓｈＡ、ＩｓｈＢ、ＩｓｈＣが１ｍＡであるとする。
【００６１】
そうすると、定電圧回路６Ａの安定動作に必要最小限の（負荷８Ａを正常に動作させるのに必要最小限の）入力電流ＩＡの電流値ＩＡｍｉｎは、ＩＡｍｉｎ＝１ｍＡ＋１ｍＡ＋１００ｍＡ＝１０２ｍＡである。また、定電圧回路６Ｂの安定動作に必要最小限の（負荷８Ｂを正常に動作させるのに必要最小限の）入力電流ＩＢの電流値ＩＢｍｉｎは、ＩＢｍｉｎ＝１ｍＡ＋１ｍＡ＋７０ｍＡ＝７２ｍＡである。また、定電圧回路６Ｃの安定動作に必要最小限の（負荷８Ｃを正常に動作させるのに必要最小限の）入力電流ＩＣの電流値ＩＣｍｉｎは、ＩＣｍｉｎ＝Ｉｃ＋ＩｓｈＣ＋ＩＬＣ＝１ｍＡ＋１ｍＡ＋１１０ｍＡ＝１１２ｍＡである。定電圧回路６Ａ〜６Ｃのうちの負荷電流（出力電流）が最大である定電圧回路は、定電圧回路６Ｃである。
【００６２】
従って、上記の場合、システム電流Ｉｓとして、定電圧回路６Ｃの安定動作に必要な電流、すなわちＩＣｍｉｎ＝１１２ｍＡ以上の電流を流せば、全ての定電圧回路６Ａ〜６Ｃを安定動作させることができる。また、システム電流Ｉｓとして、定電圧回路６Ｃの安定動作に必要最小限の電流、すなわちＩＣｍｉｎ＝１１２ｍＡの電流を流せば、不必要な電流を流さなくて済み、無駄な電力消費を抑えることができる。
【００６３】
システム電流Ｉｓとして、１１２ｍＡの電流を流した場合、電源システム１と負荷８Ａ〜８Ｃを含めた全体の消費電力Ｐｓは、Ｐｓ＝Ｖｉｎ×Ｉｓ＝２４Ｖ×１１２ｍＡ＝２６８８ｍＷとなる。一方、負荷８Ａ〜８Ｃの消費電力ＰＬは、従来と同様に、ＰＬ＝（ＶＡ×ＩＬＡ）＋（ＶＢ×ＩＬＢ）＋（ＶＣ×ＩＬＣ）＝（５Ｖ×１００ｍＡ）＋（５Ｖ×７０ｍＡ）＋（５Ｖ×１１０ｍＡ）＝１４００ｍＷとなる。従って、全体の消費電力Ｐｓ＝２６８８ｍＷのうち、負荷８Ａ〜８Ｃの消費電力ＰＬ＝１４００ｍＷ以外の１２８８ｍＷの電力が、電力損失となっている。この電力損失は、主に、システム電流制御部７及び定電圧回路６Ａ〜６Ｃで発生する。
【００６４】
これらを従来の電源システムと比較すると、図２１に示される従来の電源システムでは、電力損失が５３９２ｍＷであるのに対して、本発明の電源システム１では、電力損失が１２８８ｍＷである。そして、従来の電源システムでは、全体の消費電力Ｐｓが６７９２ｍＷであるのに対して、本発明の電源システム１では、全体の消費電力Ｐｓが２６８８ｍＷである。すなわち、本発明の電源システム１では、従来と比較して、電力損失が大きく抑えられており、全体の消費電力Ｐｓが従来の約４０％に低減されている。本発明の電源システム１における直流電源２の直流電圧Ｖｉｎ、各定電圧回路６Ａ〜６Ｃの出力電圧ＶＡ〜ＶＣ、各負荷８Ａ〜８Ｃに流れる負荷電流ＩＬＡ〜ＩＬＣは、従来と同じである。すなわち、本発明の電源システム１では、従来と同じ直流電圧、同じ負荷において、電力損失が抑えられて、消費電力が低減されている。
【００６５】
本発明の電源システム１において、このように電力損失が抑えられて、消費電力が低減されるのは、定電圧回路６Ａ〜６Ｃが、入力部４の入力端子４ａ、４ｂ間に直列に接続されているためである。すなわち、システム電流Ｉｓが、定電圧回路６Ａの入力電流ＩＡとして定電圧回路６Ａに流れ、さらに、定電圧回路６Ｂの入力電流ＩＢとして定電圧回路６Ｂに流れ、さらに、定電圧回路６Ｃの入力電流ＩＣとして定電圧回路６Ｃに流れるためである。つまり、定電圧回路６Ａで利用された電流が、定電圧回路６Ｂで再利用され、また、定電圧回路６Ｂで利用された電流が、定電圧回路６Ｃで再利用されるためであると、捉えることができる。
【００６６】
上記システム電流制御部７は、システム電流の電流値Ｉｓが、定電圧回路６Ａ〜６Ｃのうちの負荷電流（出力電流）が最大である定電圧回路の安定動作に必要最小限の電流値となるように、可変抵抗器１１の抵抗値が設定される。この可変抵抗器１１の抵抗値の設定は、例えば、電源システム１の設置者又は外部装置３Ａ〜３Ｃの設置者により、直流電源２の直流電圧Ｖｉｎや負荷８Ａ〜８Ｃの定格電圧、定格電流等に基いて行われる。なお、システム電流制御部７には（可変抵抗器１１には）、直流電源２の直流電圧Ｖｉｎから定電圧回路６Ａ〜６Ｃの出力電圧ＶＡ〜ＶＣを差し引いた電圧がかかる。このように可変抵抗器１１の抵抗値が設定されることにより、システム電流制御部７は、システム電流の電流値Ｉｓを、定電圧回路６Ａ〜６Ｃのうちの負荷電流が最大である定電圧回路の安定動作に必要最小限の電流値となるように制御する。
【００６７】
定電圧回路６Ａ〜６Ｃのうちの負荷電流が最大である定電圧回路の安定動作に必要最小限の電流値は、定電圧回路６Ａ〜６Ｃのうちの負荷電流が最大でない定電圧回路の安定動作に必要最小限以上の電流値である。すなわち、定電圧回路６Ａ〜６Ｃのうちの負荷電流が最大である定電圧回路の安定動作に必要最小限の電流値は、定電圧回路６Ａ〜６Ｃの全ての定電圧回路の安定動作に必要最小限の電流値である。従って、このように、システム電流の電流値Ｉｓが、定電圧回路６Ａ〜６Ｃのうちの負荷電流が最大である定電圧回路の安定動作に必要最小限の電流値となるように制御されている状態では、定電圧回路６Ａ〜６Ｃの全ての定電圧回路が安定動作する。
【００６８】
本発明の電源システム１によれば、定電圧回路６Ａ〜６Ｃは、入力部４の入力端子４ａ、４ｂ間に直列に接続されている。このため、入力部４からのシステム電流Ｉｓは、定電圧回路６Ａの入力電流ＩＡとして定電圧回路６Ａに流れて、定電圧回路６Ａで利用される。そして、定電圧回路６Ａで利用された入力電流ＩＡは、定電圧回路６Ｂの入力電流ＩＢとして定電圧回路６Ｂに流れて、定電圧回路６Ｂで利用される。さらに、定電圧回路６Ｂで利用された入力電流ＩＢは、定電圧回路６Ｃの入力電流ＩＣとして定電圧回路６Ｃに流れて、定電圧回路６Ｃで利用される。つまり、定電圧回路６Ａで利用された電流は、定電圧回路６Ｂで再利用され、また、定電圧回路６Ｂで利用された電流は、定電圧回路６Ｃで再利用される。これにより、電力損失を抑えて、消費電力を少なくすることができる。
【００６９】
また、システム電流制御部７によって（可変抵抗器１１の抵抗値を調整して）、システム電流の電流値Ｉｓを、定電圧回路６Ａ〜６Ｃのうちの負荷電流が最大である定電圧回路の安定動作に必要最小限の電流値にすることができる。このようにすることにより、不必要な電流を流さなくて済み、より一層、電力消費を少なくすることができる。
【００７０】
なお、本実施形態において、電源システム１は、直流電源２が接続される構成に限られず、直流電源２を一体的に備えた構成であってもよい。また、直流電源２は、直流電圧を出力するものであればよく、例えば、交流を整流して直流電圧を作り出して、その作り出した直流電圧を出力するものであってもよい。
【００７１】
また、本実施形態において、複数の定電圧回路６は、３つに限られず、少なくとも２つ以上のものが直列接続されていればよい。また、複数の定電圧回路６の仕様や特性は同一でなくてもよい。また、複数の定電圧回路６のうちの幾つかのもの、又は、複数の定電圧回路６の全てのものは、シャントレギュレータに限られず、例えば、図３に示すような構成のシリーズレギュレータであってもよい。
【００７２】
図３に示す定電圧回路６Ｘは、シリーズレギュレータであり、入力ライン６ａ、６ｂと、動作回路部６ｃと、出力ライン６ｄ、６ｅとを有している。動作回路部６ｃは、ＭＯＳＦＥＴ６ｍと、抵抗６ｎ、６ｏと、基準電源６ｐと、オペアンプ６ｑとを有している。
【００７３】
ＭＯＳＦＥＴ６ｍは、Ｎ型のＭＯＳＦＥＴであり、ソースが入力ライン６ａに接続されており、ドレインが抵抗６ｎ、６ｏを介して入力ライン６ｂに接続されており、ゲートがオペアンプ６ｑの出力端子に接続されている。抵抗６ｎは、一端がＭＯＳＦＥＴ６ｍのドレインに接続されており、他端が抵抗６ｏの一端に接続されている。抵抗６ｏは、一端が抵抗６ｎの他端に接続されており、他端が入力ライン６ｂに接続されている。基準電源６ｐは、正極（＋極）がオペアンプ６ｑの非反転入力端子に接続されており、負極（−極）が抵抗６ｏの他端に接続されている。オペアンプ６ｑは、非反転入力端子が基準電源６ｐの正極（＋極）に接続されており、反転入力端子が抵抗６ｎと６ｏとの間に接続されており、出力端子がＭＯＳＦＥＴ６ｍのゲートに接続されている。出力ライン６ｄは、ＭＯＳＦＥＴ６ｍのドレインと抵抗６ｎの一端との間に接続されており、出力ライン６ｅは、抵抗６ｏの他端に接続されている。
【００７４】
このような構成の定電圧回路６Ｘは、入力ライン６ａ、６ｂ間に電力が供給されることにより、動作回路部６ｃが動作し、出力ライン６ｄ、６ｅ間に所定の出力電圧ＶＸを出力して、出力ライン６ｄ、６ｅ間に接続される負荷に電力を供給する。このとき、入力ライン６ａ、６ｂには、入力電流ＩＸが流れ、ＭＯＳＦＥＴ６ｍにより電圧が降圧され、抵抗６ｎ、６ｏには、動作電流ＩｚＸが流れ、出力ライン６ｄ、６ｅ間に接続される負荷には、出力電流（負荷電流）ＩＬＸが流れる。入力電流ＩＸは、動作電流ＩｚＸと出力電流ＩＬＸの和である。そして、定電圧回路６Ｘは、ＭＯＳＦＥＴ６ｍでの電圧の降圧が制御されることによって、出力ライン６ｄ、６ｅ間の出力電圧ＶＸを一定に保って、負荷に印加する電圧を定電圧化する。複数の定電圧回路のうちの幾つかの定電圧回路、又は、複数の定電圧回路の全ての定電圧回路は、このような構成のシリーズレギュレータであってもよい。
【００７５】
また、本実施形態において、システム電流制御部７は、可変抵抗器１１の抵抗値によって、システム電流Ｉｓの電流値を設定するものに限られず、例えば、セレクタスイッチによって、システム電流Ｉｓの電流値を特定の電流値に設定するものであってもよい。
【００７６】
＜第２の実施形態＞
図４は、第２の実施形態による電源システムの構成を示す。本実施形態の電源システム１は、システム電流制御部７の構成が上記第１の実施形態と異なっている。本実施形態における他の構成については、上記第１の実施形態と同様である。
【００７７】
本実施形態では、システム電流制御部７は、システム電流Ｉｓの電流値を制御可能な定電流回路１２である。定電流回路１２は、入力部４の入力端子４ａと定電圧回路６Ａの入力ライン６ａとの間に直列に接続されており、システム電流Ｉｓの電流値を一定に保つ。また、定電流回路１２は、システム電流Ｉｓの電流値を制御可能になっている。つまり、定電流回路１２は、電流値が設定されるようになっており、システム電流Ｉｓの電流値を、その設定された電流値となるように制御する。
【００７８】
すなわち、システム電流制御部７は、定電流回路１２の電流値が設定されることにより、システム電流Ｉｓの電流値が設定されて、定電流回路１２によって、システム電流Ｉｓの電流値をその設定された電流値となるようにする。また、システム電流制御部７は、定電流回路１２の電流値が変えられることにより、定電流回路１２によって、システム電流Ｉｓの電流値を変える。つまり、システム電流制御部７は、定電流回路１２の電流値によって、システム電流Ｉｓを制御するようになっている。定電流回路１２の電流値は、不図示のボリュームスイッチを操作することによって、又は、例えばパソコンなどの外部制御装置から電流値を設定するための設定信号（設定すべき電流値を示す信号）を与えることによって、任意の電流値に設定される。
【００７９】
システム電流制御部７は、システム電流の電流値Ｉｓが、定電圧回路６Ａ〜６Ｃのうちの負荷電流（出力電流）が最大である定電圧回路の安定動作に必要最小限の電流値となるように、定電流回路１２の電流値が設定される。この定電流回路１２の電流値の設定は、例えば、電源システム１の設置者又は外部装置３Ａ〜３Ｃの設置者により、直流電源２の直流電圧Ｖｉｎや負荷８Ａ〜８Ｃの定格電圧、定格電流等に基いて行われる。このように定電流回路１２の電流値が設定されることにより、システム電流制御部７は、システム電流の電流値Ｉｓを、定電圧回路６Ａ〜６Ｃのうちの負荷電流が最大である定電圧回路の安定動作に必要最小限の電流値となるように制御する。
【００８０】
本実施形態の電源システム１によれば、入力電圧（直流電源２の直流電圧Ｖｉｎ）が変動しても、システム電流Ｉｓの電流値は、定電流回路１２の働きによって一定に保たれ、各定電圧回路６Ａ〜６Ｃは、安定して動作することができる。
【００８１】
また、システム電流制御部７によって（定電流回路１２の電流値を調整して）、システム電流の電流値Ｉｓを、定電圧回路６Ａ〜６Ｃのうちの負荷電流が最大である定電圧回路の安定動作に必要最小限の電流値にすることができる。このようにすることにより、不必要な電流を流さなくて済み、より一層、電力消費を少なくすることができる。
【００８２】
＜第３の実施形態＞
図５は、第３の実施形態による電源システムの構成を示す。本実施形態の電源システム１は、システム電流制御部７の構成が上記第１の実施形態と異なっている。本実施形態における他の構成については、上記第１の実施形態と同様である。
【００８３】
本実施形態では、システム電流制御部７は、システム電流Ｉｓの電流値を、定電圧回路６Ｃの出力電圧ＶＣが所定の電圧値となるように負帰還制御するようになっている。システム電流制御部７は、ＭＯＳＦＥＴ１３と、抵抗１４と、電圧制御部１５とを備えている。
【００８４】
ＭＯＳＦＥＴ１３は、Ｐ型のＭＯＳＦＥＴであり、ソースが入力部４の入力端子４ａに接続されており、ドレインが定電圧回路６Ａの入力ライン６ａに接続されており、ゲートが抵抗１４と電圧制御部１５との間に接続されている。抵抗１４は、一端が入力部４の入力端子４ａとＭＯＳＦＥＴ１３のソースとの間に接続されており、他端がＭＯＳＦＥＴ１３のゲートと電圧制御部１５との間に接続されている。
【００８５】
電圧制御部１５は、抵抗１６、１７と、基準電源１８と、オペアンプ１９とを有している。抵抗１６は、一端が定電圧回路６Ｃの入力ライン６ａに接続されており、他端が抵抗１７の一端に接続されている。抵抗１７は、一端が抵抗１６の他端に接続されており、他端が定電圧回路６Ｃの入力ライン６ｂに接続されている。基準電源１８は、正極（＋極）がオペアンプ１９の反転入力端子に接続されており、負極（−極）が定電圧回路６Ｃの入力ライン６ｂに接続されている。オペアンプ１９は、非反転入力端子が抵抗１６と抵抗１７との間に接続されており、反転入力端子が基準電源１８の正極（＋極）に接続されており、出力端子がＭＯＳＦＥＴ１３のゲートと抵抗１４の他端との間に接続されている。
【００８６】
このような構成において、オペアンプ１９は、定電圧回路６Ｃの出力電圧ＶＣが所定値となるように（抵抗１６と抵抗１７の分圧が所定値となるように）、負帰還制御する。例えば、定電圧回路６Ｃの入力電流ＩＣが不足（出力電流ＩＬＣが不足）して、定電圧回路６Ｃの出力電圧ＶＣが低下したとする。すると、抵抗１６、１７の分圧（抵抗１６／（抵抗１６＋抵抗１７））が低下して、オペアンプ１９の出力電圧が低下する。これにより、ＭＯＳＦＥＴ１３のゲート電圧が低下して、ＭＯＳＦＥＴ１３のソース、ドレイン間に流れる電流、すなわちシステム電流Ｉｓが増加して、定電圧回路６Ｃの入力電流ＩＣが増加する。
【００８７】
また、定電圧回路６Ｃの入力電流ＩＣが過多になって、定電圧回路６Ｃの出力電圧ＶＣが上昇したとする。すると、抵抗１６、１７の分圧（抵抗１６／（抵抗１６＋抵抗１７））が上昇して、オペアンプ１９の出力電圧が上昇する。これにより、ＭＯＳＦＥＴ１３のゲート電圧が上昇して、ＭＯＳＦＥＴ１３のソース、ドレイン間に流れる電流、すなわちシステム電流Ｉｓが減少し、定電圧回路６Ｃの入力電流ＩＣが減少する。
【００８８】
このように定電圧回路６Ｃの入力電流ＩＣが制御される（入力電流ＩＣの不足、過多が解消される）ことにより、システム電流Ｉｓの電流値は、定電圧回路６Ｃの安定動作に必要最小限の電流値となる。すなわち、システム電流制御部７は、システム電流Ｉｓの電流値を、定電圧回路６Ｃの安定動作に必要最小限の電流値となるように制御する。
【００８９】
ここで、例えば、外部装置３Ａ〜３Ｃのうちの最大負荷を有する外部装置が接続部５Ｃに接続されているとする。すなわち、定電圧回路６Ａ〜６Ｃのうちの負荷電流（出力電流）が最大である定電圧回路が、定電圧回路６Ｃであるとする。すると、定電圧回路６Ｃの安定動作に必要最小限の入力電流ＩＣの電流値ＩＣｍｉｎは、定電圧回路６Ａの安定動作に必要最小限の入力電流ＩＡの電流値ＩＡｍｉｎ、及び定電圧回路６Ｂの安定動作に必要最小限の入力電流ＩＢの電流値ＩＢｍｉｎよりも大きい。従って、最大負荷を有する外部装置が接続部５Ｃに接続されている状態では、システム電流Ｉｓの電流値は、定電圧回路６Ｃの安定動作に必要最小限の電流値になっていれば、定電圧回路６Ａ〜６Ｃの全ての安定動作に必要最小限の電流値にもなっている。
【００９０】
システム電流制御部７は、上述のように、システム電流Ｉｓの電流値を、定電圧回路６Ｃの安定動作に必要最小限の電流値となるように制御する。従って、システム電流制御部７は、外部装置３Ａ〜３Ｃのうちの最大負荷を有する外部装置が接続部５Ｃに接続されることにより、システム電流の電流値Ｉｓを、定電圧回路６Ａ〜６Ｃの全ての安定動作に必要最小限の電流値となるように制御する。
【００９１】
最大負荷を有する外部装置が分かっている場合には、その外部装置を接続部３Ｃに接続することが望ましい。図示の例では、外部装置３Ａ〜３Ｃのうちの最大負荷を有する外部装置は、外部装置３Ｃであり、外部装置３Ｃが接続部５Ｃに接続されている。
【００９２】
本実施形態の電源システム１によれば、外部装置３Ａ〜３Ｃのうちの最大負荷を有する外部装置を接続部５Ｃに接続することにより、システム電流Ｉｓの電流値が、定電圧回路６Ａ〜６Ｃの全ての安定動作に必要最小限の電流値となるように制御される。従って、外部装置３Ａ〜３Ｃのうちの最大負荷を有する外部装置を接続部５Ｃに接続することにより、不必要な電流を流さなくて済み、電力消費を少なくすることができる。
【００９３】
また、最大負荷を有する外部装置を接続部５Ｃに接続すれば、利用者によるシステム電流Ｉｓの電流値の設定操作を必要とせずに、システム電流Ｉｓの電流値が、定電圧回路６Ａ〜６Ｃの全ての安定動作に必要最小限の電流値となるように制御される。すなわち、最大負荷を有する外部装置を接続部５Ｃに接続するだけで、自動的に、システム電流Ｉｓの電流値が、定電圧回路６Ａ〜６Ｃの全ての安定動作に必要最小限の電流値となるように制御される。従って、利便性が向上する。また、最大負荷を有する外部装置を接続部５Ｃに接続することにより、負荷電流ＩＬＡ〜ＩＬＣに変動があっても、常に、最小電流での定電圧回路６Ａ〜６Ｃの全ての安定動作が可能である。
【００９４】
なお、本実施形態において、システム電流制御部７は、システム電流Ｉｓの電流値を、定電圧回路６Ｃのシャント電流ＩｓｈＣが所定の電流値となるように負帰還制御するものであってもよい。また、システム電流制御部７は、システム電流Ｉｓの電流値を、複数の定電圧回路６のうちの２以上のものの出力電圧が所定の電圧値となるように、負帰還制御するものであってもよい。また、システム電流制御部７は、システム電流Ｉｓの電流値を、複数の定電圧回路６のうちの２以上のもののシャント電流が所定の電流値となるように、負帰還制御するものであってもよい。
【００９５】
＜第４の実施形態＞
図６は、第４の実施形態による電源システムの構成を示す。本実施形態の電源システム１は、システム電流制御部７の構成が上記第１の実施形態と異なっている。本実施形態における他の構成については、上記第１の実施形態と同様である。
【００９６】
本実施形態では、システム電流制御部７は、システム電流Ｉｓの電流値を、定電圧回路６Ａ〜６Ｃの全ての安定動作に必要最小限の電流値となるように制御するようになっている。システム電流制御部７は、ＭＯＳＦＥＴ２１と、抵抗２２と、複数の電圧制御部２３（２３Ａ、２３Ｂ、２３Ｃ）とを備えている。
【００９７】
ＭＯＳＦＥＴ２１は、Ｐ型のＭＯＳＦＥＴであり、ソースが入力部４の入力端子４ａに接続されており、ドレインが定電圧回路６Ａの入力ライン６ａに接続されており、ゲートが抵抗２２に接続されている。抵抗２２は、一端が入力部４の入力端子４ａとＭＯＳＦＥＴ２１のソースとの間に接続されており、他端がＭＯＳＦＥＴ２１のゲートに接続されている。
【００９８】
電圧制御部２３Ａは、ＭＯＳＦＥＴ２４と、抵抗２５、２６と、基準電源２７と、オペアンプ２８とを有している。電圧制御部２３Ａは、定電圧回路６Ａの出力電圧ＶＡを制御するためのものである。
【００９９】
ＭＯＳＦＥＴ２４は、Ｎ型のＭＯＳＦＥＴであり、ソースがＭＯＳＦＥＴ２１のゲートと抵抗２２の他端との間に接続されており、ドレインが定電圧回路６Ａの入力ライン６ｂに接続されており、ゲートがオペアンプ２８の出力端子に接続されている。抵抗２５は、一端が定電圧回路６Ａの入力ライン６ａに接続されており、他端が抵抗２６の一端に接続されている。抵抗２６は、一端が抵抗２５の一端に接続されており、他端が定電圧回路６Ａの入力ライン６ｂに接続されている。基準電源２７は、正極（＋極）がオペアンプ２８の非反転入力端子に接続されており、負極（−極）が定電圧回路６Ａの入力ライン６ｂに接続されている。オペアンプ２８は、非反転入力端子が基準電源２７の正極（＋極）に接続されており、反転入力端子が抵抗２５と抵抗２６との間に接続されており、出力端子がＭＯＳＦＥＴ２４のゲートに接続されている。
【０１００】
電圧制御部２３Ｂは、電圧制御部２３Ａと同様に、ＭＯＳＦＥＴ２４と、抵抗２５、２６と、基準電源２７と、オペアンプ２８とを有している。但し、電圧制御部２３Ｂは、定電圧回路６Ｂの出力電圧ＶＢを制御するためのものである。従って、電圧制御部２３Ｂでは、抵抗２５は、一端が定電圧回路６Ｂの入力ライン６ａに接続されており、抵抗２６は、他端が定電圧回路６Ｂの入力ライン６ｂに接続されている。これ以外は、電圧制御部２３Ｂは、電圧制御部２３Ａと同様である。
【０１０１】
電圧制御部２３Ｃも、電圧制御部２３Ａと同様に、ＭＯＳＦＥＴ２４と、抵抗２５、２６と、基準電源２７と、オペアンプ２８とを有している。但し、電圧制御部２３Ｃは、定電圧回路６Ｃの出力電圧ＶＣを制御するためのものである。従って、電圧制御部２３Ｃでは、抵抗２５は、一端が定電圧回路６Ｃの入力ライン６ａに接続されており、抵抗２６は、他端が定電圧回路６Ｃの入力ライン６ｂに接続されている。これ以外は、電圧制御部２３Ｃは、電圧制御部２３Ａと同様である。
【０１０２】
このような構成において、例えば、定電圧回路６Ａの入力電流ＩＡが不足（出力電流ＩＬＡが不足）で、定電圧回路６Ａの出力電圧ＶＡが低下したとする。すると、電圧制御部２３Ａのオペアンプ２８の出力電圧（＝電圧制御部２３ＡのＭＯＳＦＥＴ２４への印加電圧）が高くなり、電圧制御部２３ＡのＭＯＳＦＥＴ２４のソース、ドレイン間に流れる電流が増加する。これにより、抵抗２２の電圧降下が大きくなり、ＭＯＳＦＥＴ２１のゲート電圧が低下して、システム電流Ｉｓが増加し、定電圧回路６Ａの入力電流ＩＡが増加して、定電圧回路６Ａの出力電流ＩＬＡの不足が解消する。このとき、システム電流Ｉｓの増加により、定電圧回路６Ｂ、６Ｃでも入力電流ＩＢ、ＩＣが増加することになるが、定電圧回路６Ｂ、６Ｃのシャント電流ＩｓｈＢ、ＩｓｈＣの増加によって、定電圧回路６Ｂ、６Ｃの出力電流ＩＬＢ、ＩＬＣは一定に保たれる。なお、一時的には、電圧制御部２３ＢのＭＯＳＦＥＴ２４、及び電圧制御部２３ＣのＭＯＳＦＥＴ２４が遮断状態になるかもしれないが、その分、電圧制御部２３ＡのＭＯＳＦＥＴ２４が電流を流して、抵抗２２の電圧降下を起すので、問題ない。
【０１０３】
定電圧回路６Ａの入力電流ＩＡが不足の場合（定電圧回路６Ａの出力電圧ＶＡが低下した場合）には、このような電圧制御部２３Ａ、抵抗２２、ＭＯＳＦＥＴ２１の働きによって、定電圧回路６Ａの出力電流ＩＬＡの不足が解消される。
【０１０４】
また、定電圧回路６Ｂの入力電流ＩＢが不足の場合（定電圧回路６Ｂの出力電圧ＶＢが低下した場合）には、電圧制御部２３Ｂ、抵抗２２、ＭＯＳＦＥＴ２１の働きによって、同様に、定電圧回路６Ｂの出力電流ＩＬＢの不足が解消される。また、定電圧回路６Ｃの入力電流ＩＣが不足の場合（定電圧回路６Ｃの出力電圧ＶＣが低下した場合）には、電圧制御部２３Ｃ、抵抗２２、ＭＯＳＦＥＴ２１の働きによって、同様に、定電圧回路６Ｃの出力電流ＩＬＣの不足が解消される。
【０１０５】
逆に、定電圧回路６Ａの入力電流ＩＡが過多の場合には、電圧制御部２３ＡのＭＯＳＦＥＴ２４のソース、ドレイン間に流れる電流が減少する。これにより、抵抗２２の電圧降下が小さくなり、ＭＯＳＦＥＴ２１のゲート電圧が上昇して、システム電流Ｉｓが減少する。定電圧回路６Ａの出力電流ＩＬＡが過多の場合には、このような電圧制御部２３Ａ、抵抗２２、ＭＯＳＦＥＴ２１の働きによって、定電圧回路６Ａの入力電流ＩＡの過多が解消される。
【０１０６】
また、定電圧回路６Ｂの入力電流ＩＢが過多の場合には、電圧制御部２３Ｂ、抵抗２２、ＭＯＳＦＥＴ２１の働きによって、同様に、定電圧回路６Ｂの入力電流ＩＢの過多が解消される。また、定電圧回路６Ｃの入力電流ＩＣが過多の場合には、電圧制御部２３Ｃ、抵抗２２、ＭＯＳＦＥＴ２１の働きによって、同様に、定電圧回路６Ｃの入力電流ＩＣの過多が解消される。
【０１０７】
電圧制御部２３ＡのＭＯＳＦＥＴ２４、電圧制御部２３ＢのＭＯＳＦＥＴ２４、及び電圧制御部２３ＣのＭＯＳＦＥＴ２４は、ワイアードＯＲで結合されている。従って、定電圧回路６Ａ〜６Ｃのいずれが入力電流不足又は入力電流過多になった場合でも、対処できる。
【０１０８】
このように各定電圧回路６Ａ〜６Ｃの入力電流ＩＡ〜ＩＣが制御される（入力電流ＩＡ〜ＩＣの不足、過多が解消される）ことにより、システム電流Ｉｓの電流値は、定電圧回路６Ａ〜６Ｃの全ての安定動作に必要最小限の電流値となる。すなわち、システム電流制御部７は、システム電流Ｉｓの電流値を、定電圧回路６Ａ〜６Ｃの全ての安定動作に必要最小限の電流値となるように制御する。
【０１０９】
本実施形態の電源システム１によれば、システム電流Ｉｓの電流値が、定電圧回路６Ａ〜６Ｃの全ての安定動作に必要最小限の電流値となるように制御されるので、不必要な電流を流さなくて済み、電力消費を少なくすることができる。
【０１１０】
また、外部装置３Ａ〜３Ｃを接続部５Ａ〜５Ｃのいずれに接続しても、利用者によるシステム電流Ｉｓの電流値の設定操作を必要とせずに、システム電流Ｉｓの電流値が、定電圧回路６Ａ〜６Ｃの全ての安定動作に必要最小限の電流値となるように制御される。すなわち、外部装置３Ａ〜３Ｃを接続部５Ａ〜５Ｃのいずれに接続しても、自動的に、システム電流Ｉｓの電流値が、定電圧回路６Ａ〜６Ｃの全ての安定動作に必要最小限の電流値となるように制御される。従って、利便性が向上する。また、負荷電流ＩＬＡ〜ＩＬＣに変動があっても、常に、最小電流での定電圧回路６Ａ〜６Ｃの全ての安定動作が可能である。
【０１１１】
＜第５の実施形態＞
図７は、第５の実施形態による電源システムの構成を示す。本実施形態の電源システム１は、システム電流制御部７の構成が上記第１の実施形態と異なっている。本実施形態における他の構成については、上記第１の実施形態と同様である。
【０１１２】
本実施形態では、システム電流制御部７は、定電流回路３１と、レジスタ３２とを備えている。定電流回路３１は、入力部４の入力端子４ａと定電圧回路６Ａの入力ライン６ａとの間に直列に接続されており、システム電流Ｉｓの電流値を一定に保つ。また、定電流回路３１は、システム電流Ｉｓの電流値を制御可能になっている。つまり、定電流回路３１は、電流値が設定されるようになっており、システム電流Ｉｓの電流値を、その設定された電流値となるように制御する。レジスタ３２のデータは、電流値を設定するための設定信号（設定すべき電流値を示す信号）として定電流回路３１に与えられる。定電流回路３１は、レジスタ３２のデータによって電流値を設定し、レジスタ３２のデータ値が大きいほど、電流値を大きく設定し、レジスタ３２のデータ値が小さいほど、電流値を小さく設定する。
【０１１３】
すなわち、システム電流制御部７は、レジスタ３２のデータに基いて、システム電流Ｉｓの電流値を決定し、定電流回路３１によって、システム電流Ｉｓの電流値をその決定した電流値となるようにする。また、システム電流制御部７は、レジスタ３２のデータが変えられることにより、定電流回路３１によって、システム電流Ｉｓの電流値を変える。つまり、システム電流制御部７は、レジスタ３２のデータによって、システム電流Ｉｓを制御するようになっている。システム制御部７は、レジスタ３２のデータの値が大きいほど、システム電流Ｉｓの電流値を大きくし、レジスタ３２のデータの値が小さいほど、システム電流Ｉｓの電流値を小さくする。レジスタ３２のデータは、外部から（例えばパソコンなどの外部制御装置から）通信などによって、又は、電源システム１が何らかの信号処理（情報処理）を行うことによって、任意の値が書き込まれる。
【０１１４】
システム電流制御部７は、システム電流の電流値Ｉｓが、定電圧回路６Ａ〜６Ｃのうちの負荷電流（出力電流）が最大である定電圧回路の安定動作に必要最小限の電流値となるように、レジスタ３２のデータが書き込まれる。このレジスタ３２のデータの書き込みは、例えば、電源システム１の設置者又は外部装置３Ａ〜３Ｃの設置者により、直流電源２の直流電圧Ｖｉｎや負荷８Ａ〜８Ｃの定格電圧、定格電流等に基いて行われる。このようにレジスタ３２のデータが書き込まれることにより、システム電流制御部７は、システム電流の電流値Ｉｓを、定電圧回路６Ａ〜６Ｃのうちの負荷電流（出力電流）が最大である定電圧回路の安定動作に必要最小限の電流値となるように制御する。
【０１１５】
本実施形態の電源システム１によれば、入力電圧（直流電源２の直流電圧Ｖｉｎ）が変動しても、システム電流Ｉｓの電流値は、定電流回路３１の働きによって一定に保たれ、各定電圧回路６Ａ〜６Ｃは、安定して動作することができる。
【０１１６】
また、システム電流制御部７によって（レジスタ３２のデータを調整して）、システム電流の電流値Ｉｓを、定電圧回路６Ａ〜６Ｃのうちの負荷電流が最大である定電圧回路の安定動作に必要最小限の電流値にすることができる。このようにすることにより、不必要な電流を流さなくて済み、より一層、電力消費を少なくすることができる。
【０１１７】
また、レジスタ３２のデータを変えることで、自由にシステム電流Ｉｓの電流値を制御することができる。また、レジスタ３２のデータを外部から通信などによって変えることで、遠隔操作によるシステム電流Ｉｓの制御が、容易に行えるようになる。また、レジスタ３２のデータを時間的に変えることで、タイマ動作によるシステム電流Ｉｓの制御（システム電流Ｉｓの電流値を時間によって変化させる制御）が、容易に行えるようになる。
【０１１８】
なお、本実施形態において、システム電流制御部７には、負荷電流についての設定情報が与えられ、システム電流制御部７は、システム電流Ｉｓの電流値（レジスタ３２のデータ）を、負荷電流についての設定情報に基いて決定するようになっていてもよい。この場合、負荷電流についての設定情報は、外部装置３Ａ〜３Ｃ又はパソコンなどの外部制御装置から、システム電流制御部７に与えられる。このような構成によれば、設定情報によってシステム電流Ｉｓの電流値を制御できるので、電源システム１の起動時から、外部装置３Ａ〜３Ｃの負荷８Ａ〜８Ｃに適したシステム電流Ｉｓを発生できる。
【０１１９】
また、本実施形態において、定電圧回路６Ａ〜６Ｃは、その出力電圧ＶＡ〜ＶＣが制御可能であり、定電圧回路６Ａ〜６Ｃの出力電圧ＶＡ〜ＶＣを制御する出力電圧制御手段をさらに備えていてもよい。すなわち、出力電圧制御手段が、出力電圧設定情報に基いて、定電圧回路６Ａ〜６Ｃの出力電圧ＶＡ〜ＶＣを制御するようになっていてもよい。この場合、出力電圧設定情報は、外部装置３Ａ〜３Ｃ又はパソコンなどの外部制御装置から、システム電流制御部７に与えられるようにし、システム制御部７が、出力電圧設定情報に基いて、定電圧回路６Ａ〜６Ｃの出力電圧ＶＡ〜ＶＣを制御すればよい。システム電流制御部７によって、出力電圧制御手段が構成される。このような構成によれば、その都度、有用な出力電圧ＶＡ〜ＶＣにフレキシブルに設定できる。また、設定情報によって出力電圧ＶＡ〜ＶＣを制御できるので、電源システム１の起動時から、外部装置３Ａ〜３Ｃの負荷８Ａ〜８Ｃに適した直流電圧を発生できる。
【０１２０】
＜第６の実施形態＞
図８は、第６の実施形態による電源システムの構成を示す。本実施形態の電源システム１は、システム電流制御部７の構成が上記第１の実施形態と異なっている。また、本実施形態の電源システム１では、各定電圧回路６Ａ〜６Ｃは、入力電流ＩＡ〜ＩＣが不足（出力電流ＩＬＡ〜ＩＬＣが不足）していると、出力電流が不足している旨の電流不足情報をシステム電流制御部７に送出するようになっている。本実施形態における他の構成については、上記第１の実施形態と同様である。
【０１２１】
本実施形態では、システム電流制御部７は、システム電流Ｉｓを一部分流して、その分流したシステム電流を、定電圧回路６Ａを迂回させるように、又は、定電圧回路６Ａと定電圧回路６Ｂを迂回させるように制御可能になっている。システム電流制御部７は、複数のＭＯＳＦＥＴ４１（４１Ａ、４１Ｂ、４１Ｃ）と、制御回路部４２とを備えている。
【０１２２】
ＭＯＳＦＥＴ４１Ａは、Ｐ型のＭＯＳＦＥＴであり、ソースが入力部４の入力端子４ａに接続されており、ドレインが定電圧回路６Ａの入力ライン６ａに接続されており、ゲートが制御回路部４２に接続されている。ＭＯＳＦＥＴ４１Ｂは、Ｐ型のＭＯＳＦＥＴであり、ソースが入力部４の入力端子４ａとＭＯＳＦＥＴ４１Ａのソースとの間に接続されており、ドレインが定電圧回路６Ｂの入力ライン６ａに接続されており、ゲートが制御回路部４２に接続されている。ＭＯＳＦＥＴ４１Ｃは、Ｐ型のＭＯＳＦＥＴであり、ソースが入力部４の入力端子４ａとＭＯＳＦＥＴ４１Ｂのソースとの間に接続されており、ドレインが定電圧回路６Ｃの入力ライン６ａに接続されており、ゲートが制御回路部４２に接続されている。
【０１２３】
制御回路部４２は、ＭＯＳＦＥＴ４１Ａ〜４１Ｃのゲート電圧を制御する。ＭＯＳＦＥＴ４１Ａのゲート電圧が低下すると、ＭＯＳＦＥＴ４１Ａのソース、ドレイン間に流れる電流が増加し、ＭＯＳＦＥＴ４１Ａのゲート電圧が上昇すると、ＭＯＳＦＥＴ４１Ａのソース、ドレイン間に流れる電流が減少する。ＭＯＳＦＥＴ４１Ａのソース、ドレイン間に流れる電流は、入力部４の入力端子４ａから定電圧回路６Ａに流れる電流である。また、ＭＯＳＦＥＴ４１Ｂのゲート電圧が低下すると、ＭＯＳＦＥＴ４１Ｂのソース、ドレイン間に流れる電流が増加し、ＭＯＳＦＥＴ４１Ｂのゲート電圧が上昇すると、ＭＯＳＦＥＴ４１Ｂのソース、ドレイン間に流れる電流が減少する。ＭＯＳＦＥＴ４１Ｂのソース、ドレイン間に流れる電流は、入力部４の入力端子４ａから、定電圧回路６Ａを迂回して定電圧回路６Ｂ、６Ｃに流れる電流である。また、ＭＯＳＦＥＴ４１Ｃのゲート電圧が低下すると、ＭＯＳＦＥＴ４１Ｃのソース、ドレイン間に流れる電流が増加し、ＭＯＳＦＥＴ４１Ｃのゲート電圧が上昇すると、ＭＯＳＦＥＴ４１Ｃのソース、ドレイン間に流れる電流が減少する。ＭＯＳＦＥＴ４１Ｃのソース、ドレイン間に流れる電流は、入力部４の入力端子４ａから、定電圧回路６Ａ、６Ｂを迂回して定電圧回路６Ｃに流れる電流である。ＭＯＳＦＥＴ４１Ａのソース、ドレイン間に流れる電流と、ＭＯＳＦＥＴ４１Ｂのソース、ドレイン間に流れる電流と、ＭＯＳＦＥＴ４１Ｃのソース、ドレイン間に流れる電流の合計電流が、システム電流Ｉｓである。
【０１２４】
すなわち、制御回路部４２は、ＭＯＳＦＥＴ４１Ｂのゲート電圧を制御することにより、システム電流Ｉｓを一部分流して、その分流したシステム電流を、定電圧回路６Ａを迂回させて、定電圧回路６Ｂ、６Ｃに流すように制御可能になっている。また、制御回路部４２は、ＭＯＳＦＥＴ４１Ｃのゲート電圧を制御することにより、システム電流Ｉｓを一部分流して、その分流したシステム電流を、定電圧回路６Ａ、６Ｂを迂回させて、定電圧回路６Ｃに流すように制御可能になっている。
【０１２５】
定電圧回路６Ａは、シャント電流ＩｓｈＡが所定の電流値以下になると、入力電流ＩＡが不足（出力電流ＩＬＡが不足）しているとして、電流不足を伝えるための電流不足情報をシステム電流制御部７に送出する。同様に、定電圧回路６Ｂは、シャント電流ＩｓｈＢが所定の電流値以下になると、入力電流ＩＢが不足（出力電流ＩＬＢが不足）しているとして、電流不足を伝えるための電流不足情報をシステム電流制御部７に送出する。また同様に、定電圧回路６Ｃは、シャント電流ＩｓｈＣが所定の電流値以下になると、入力電流ＩＣが不足（出力電流ＩＬＣが不足）しているとして、電流不足を伝えるための電流不足情報をシステム電流制御部７に送出する。
【０１２６】
制御回路部４２は、定電圧回路６Ａから電流不足情報を受け取ると、定電圧回路６Ａの入力電流ＩＡが不足していると判断して、ＭＯＳＦＥＴ４１Ａのゲート電圧を低下させる。また、制御回路部４２は、定電圧回路６Ｂから電流不足情報を受け取ると、定電圧回路６Ｂの入力電流ＩＢが不足していると判断して、ＭＯＳＦＥＴ４１Ｂのゲート電圧を低下させる。また、制御回路部４２は、定電圧回路６Ｃから電流不足情報を受け取ると、定電圧回路６Ｃの入力電流ＩＣが不足していると判断して、ＭＯＳＦＥＴ４１Ｃのゲート電圧を低下させる。
【０１２７】
このような構成において、例えば、定電圧回路６Ａの入力電流ＩＡが不足したとする。すると、定電圧回路６Ａが電流不足情報を送出し、制御回路部４２は、定電圧回路６Ａからの電流不足情報を受け取って、ＭＯＳＦＥＴ４１Ａのゲート電圧を低下させる。これにより、ＭＯＳＦＥＴ４１Ａのソース、ドレイン間に流れる電流が増加し、定電圧回路６Ａの入力電流ＩＡが増加して、定電圧回路６Ａの入力電流ＩＡの不足が解消する。
【０１２８】
また、定電圧回路６Ｂの入力電流ＩＢが不足したとする。すると、定電圧回路６Ｂが電流不足情報を送出し、制御回路部４２は、定電圧回路６Ｂからの電流不足情報を受け取って、ＭＯＳＦＥＴ４１Ｂのゲート電圧を低下させる。これにより、ＭＯＳＦＥＴ４１Ｂのソース、ドレイン間に流れる電流（定電圧回路６Ａを迂回して定電圧回路６Ｂに流れる電流）が増加し、定電圧回路６Ｂの入力電流ＩＢが増加して、定電圧回路６Ｂの入力電流ＩＢの不足が解消する。
【０１２９】
また、定電圧回路６Ｃの入力電流ＩＣが不足したとする。すると、定電圧回路６Ｃが電流不足情報を送出し、制御回路部４２は、定電圧回路６Ｃからの電流不足情報を受け取って、ＭＯＳＦＥＴ４１Ｃのゲート電圧を低下させる。これにより、ＭＯＳＦＥＴ４１Ｃのソース、ドレイン間に流れる電流（定電圧回路６Ａ、６Ｂを迂回して定電圧回路６Ｃに流れる電流）が増加し、定電圧回路６Ｃの入力電流ＩＣが増加して、定電圧回路６Ｃの入力電流ＩＣの不足が解消する。
【０１３０】
また、定電圧回路６Ａの電流入力ライン６ｂと定電圧回路６Ｂの電流入力ライン６ａとの間（図示Ｗの箇所）で断線があったとする。すると、ＭＯＳＦＥＴ４１Ａのソース、ドレイン間に電流が流れなくなり、定電圧回路６Ａ〜６Ｃの入力電流ＩＡ〜ＩＣが不足する。従って、定電圧回路６Ａは、電流不足情報を送出し、制御回路部４２は、定電圧回路６Ａからの電流不足情報を受け取って、ＭＯＳＦＥＴ４１Ａのゲート電圧を低下させる。しかし、定電圧回路６Ａの電流入力ライン６ｂと定電圧回路６Ｂの電流入力ライン６ａとの間（図示Ｗの箇所）で断線があるため、ＭＯＳＦＥＴ４１Ａのソース、ドレイン間に電流が流れない。また、定電圧回路６Ｂも、電流不足情報を送出し、制御回路部４２は、定電圧回路６Ｂからの電流不足情報を受け取って、ＭＯＳＦＥＴ４１Ｂのゲート電圧を低下させる。これにより、ＭＯＳＦＥＴ４１Ｂのソース、ドレイン間に流れる電流が増加して、定電圧回路６Ａを迂回して定電圧回路６Ｂに流れる電流が増加し、定電圧回路６Ｂに適切な（定電圧回路６Ｂの安定動作に必要な）入力電流ＩＢが流れる。また、定電圧回路６Ｃも、電流不足情報を送出し、制御回路部４２は、定電圧回路６Ｃからの電流不足情報を受け取って、ＭＯＳＦＥＴ４１Ｃのゲート電圧も低下させる。これにより、ＭＯＳＦＥＴ４１Ｃのソース、ドレイン間に流れる電流が増加して、定電圧回路６Ａ、６Ｂを迂回して定電圧回路６Ｃに流れる電流が増加し、定電圧回路６Ｃに適切な（定電圧回路６Ｃの安定動作に必要な）入力電流ＩＣが流れる。すなわち、定電圧回路６Ａの電流入力ライン６ｂと定電圧回路６Ｂの電流入力ライン６ａとの間で断線があった場合、定電圧回路６Ａは、正常に動作できなくなるが、定電圧回路６Ｂと定電圧回路６Ｃは、正常に動作できる。
【０１３１】
また、定電圧回路６Ａの電流入力ライン６ｂと定電圧回路６Ｂの電流入力ライン６ａとの間（図示Ｗの箇所）で地絡（直流電源２の−極（負極）への短絡）があったとする。すると、ＭＯＳＦＥＴ４１Ａのソース、ドレイン間に流れた電流（定電圧回路６Ａを流れた電流）は、定電圧回路６Ｂ、６Ｃに流れなくなり、定電圧回路６Ｂ、６Ｃの入力電流ＩＢ、ＩＣが不足する。従って、定電圧回路６Ｂは、電流不足情報を送出し、制御回路部４２は、定電圧回路６Ｂからの電流不足情報を受け取って、ＭＯＳＦＥＴ４１Ｂのゲート電圧を低下させる。これにより、ＭＯＳＦＥＴ４１Ｂのソース、ドレイン間に流れる電流が増加する。しかし、定電圧回路６Ａの電流入力ライン６ｂと定電圧回路６Ｂの電流入力ライン６ａとの間（図示Ｗの箇所）で地絡があるため、ＭＯＳＦＥＴ４１Ｂのソース、ドレイン間に流れた電流は、定電圧回路６Ｂには流れない。また、定電圧回路６Ｃも、電流不足情報を送出し、制御回路部４２は、定電圧回路６Ｃからの電流不足情報を受け取って、ＭＯＳＦＥＴ４１Ｃのゲート電圧も低下させる。これにより、ＭＯＳＦＥＴ４１Ｃのソース、ドレイン間に流れる電流が増加して、定電圧回路６Ａ、６Ｂを迂回して定電圧回路６Ｃに流れる電流が増加し、定電圧回路６Ｃに適切な（定電圧回路６Ｃの安定動作に必要な）入力電流ＩＣが流れる。すなわち、定電圧回路６Ａの電流入力ライン６ｂと定電圧回路６Ｂの電流入力ライン６ａとの間で地絡があった場合、定電圧回路６Ｂは、正常に動作できなくなるが、定電圧回路６Ａと定電圧回路６Ｃは、正常に動作できる。
【０１３２】
本実施形態の電源システム１によれば、定電圧回路６Ａ〜６Ｃ同士が接続されている部分のいずれかで断線や地絡（又は直流電源２の＋極（正極）への短絡）が発生しても、定電圧回路６Ａ〜６Ｃのうちの一部の定電圧回路は、正常に動作し得る。
【０１３３】
＜第７の実施形態＞
図９は、第７の実施形態による電源システムの構成を示す。本実施形態の電源システム１は、システム電流制御部７の構成が上記第１の実施形態と異なっている。また、本実施形態の電源システム１では、各定電圧回路６Ａ〜６Ｃは、出力電圧ＶＡ〜ＶＣが所定の電圧値以下になると、警報信号をシステム電流制御部７に送出するようになっている。本実施形態における他の構成については、上記第１の実施形態と同様である。
【０１３４】
本実施形態では、システム電流制御部７は、定電流回路５１と、カウンタ５２と、タイマ回路５３と、制御回路部５４とを備えている。
【０１３５】
定電流回路５１は、入力部４の入力端子４ａと定電圧回路６Ａの入力ライン６ａとの間に直列に接続されており、システム電流Ｉｓの電流値を一定に保つ。また、定電流回路５１は、システム電流Ｉｓの電流値を制御可能になっている。つまり、定電流回路５１は、電流値が設定されるようになっており、システム電流Ｉｓの電流値を、その設定された電流値となるように制御する。カウンタ５２の値は、電流値を設定するための設定信号（設定すべき電流値を示す信号）として定電流回路５１に与えられる。定電流回路５１は、カウンタ５２の値に基いて電流値を設定し、カウンタ５２の値が大きいほど、電流値を大きく設定し、カウンタ５２の値が小さいほど、電流値を小さく設定する。
【０１３６】
カウンタ５２は、タイマ回路５３からパルスを受けると、パルスを受ける毎に、カウント値を減らす。また、カウンタ５２は、制御回路部５４からカウント増加信号を受けると、カウント値を増やす。タイマ回路５３は、常時、一定周期でパルスを出力する。タイマ回路５３から出力されたパルスは、カウンタ５２に与えられる。制御回路部５４は、システム電流Ｉｓが不足していると判断した場合に、カウント増加信号を出力する。制御回路部５４から出力されたカウント増加信号は、カウンタ５２に与えられる。
【０１３７】
定電圧回路６Ａは、定電圧回路６Ａの抵抗６ｇ、６ｈ（上記図２参照）の分圧をモニターすることにより、出力電圧ＶＡをモニターしている。そして、定電圧回路６Ａは、出力電圧ＶＡが所定の電圧値以下になると、入力電流ＩＡが不足（出力電流ＩＬＡが不足）しているとして、警報信号をシステム電流制御部７に送出する。定電圧回路６Ｂも、同様に、出力電圧ＶＢをモニターしており、出力電圧ＶＢが所定の電圧値以下になると、入力電流ＩＢが不足（出力電流ＩＬＢが不足）しているとして、警報信号をシステム電流制御部７に送出する。また、定電圧回路６Ｃも、同様に、出力電圧ＶＣをモニターしており、出力電圧ＶＣが所定の電圧値以下になると、入力電流ＩＣが不足（出力電流ＩＬＣが不足）しているとして、警報信号をシステム電流制御部７に送出する。
【０１３８】
制御回路部５４は、定電圧回路６Ａ〜６Ｃのいずれからも警報信号を受け取っていないときは、定電圧回路６Ａ〜６Ｃの入力電流ＩＡ〜ＩＣのいずれも不足しないと判断して、カウント増加信号を出力しない。そして、制御回路部５４は、定電圧回路６Ａ〜６Ｃのいずれかから警報信号を受け取ると、定電圧回路６Ａ〜６Ｃの入力電流ＩＡ〜ＩＣのいずれかが不足していると判断して、カウント増加信号を出力する。なお、入力電流ＩＡ〜ＩＣのいずれも不足していないということは、システム電流Ｉｓが不足していないということであり、入力電流ＩＡ〜ＩＣのいずれかが不足しているということは、システム電流Ｉｓが不足しているということである。
【０１３９】
このような構成において、定電圧回路６Ａ〜６Ｃの出力電圧ＶＡ〜ＶＣが所定の電圧値に保たれている場合（入力電流ＩＡ〜ＩＣのいずれも不足しない場合）には、定電圧回路６Ａ〜６Ｃのいずれも、警報信号を送出しない。すなわち、定電圧回路６Ａ〜６Ｃの出力電圧ＶＡ〜ＶＣが所定の電圧値に保たれている場合には、制御回路部５４は、定電圧回路６Ａ〜６Ｃのいずれからも警報信号を受け取らず、カウント増加信号を出力しない。一方、タイマ回路５３は、常時、一定周期でパルスを出力している。これにより、カウンタ５２は、タイマ回路５３からのパルスを受けて、カウント値を減らしていき、定電流回路５１は、カウンタ５２の値に応じて、システム電流Ｉｓの電流値を減少させていく。
【０１４０】
また、定電圧回路６Ａの出力電圧ＶＡが所定の電圧値以下であると（入力電流ＩＡが不足していると）、定電圧回路６Ａは、警報信号を送出する。同様に、定電圧回路６Ｂの出力電圧ＶＢが所定の電圧値以下であると（入力電流ＩＢが不足していると）、定電圧回路６Ｂは、警報信号を送出する。また同様に、定電圧回路６Ｃの出力電圧ＶＣが所定の電圧値以下であると（入力電流ＩＣが不足していると）、定電圧回路６Ｃは、警報信号を送出する。すなわち、定電圧回路６Ａ〜６Ｃの出力電圧ＶＡ〜ＶＣのいずれかが所定の電圧値以下であると、制御回路部５４は、定電圧回路６Ａ〜６Ｃのいずれかから警報信号を受け取って、カウント増加信号を出力する。これにより、カウンタ５２は、制御回路部５４からのカウント増加信号を受けて、カウント値を増やし、定電流回路５１は、カウンタ５２の値に応じて、システム電流Ｉｓを増加させる。
【０１４１】
すなわち、システム電流制御部７は、定電圧回路６Ａ〜６Ｃのいずれからも警報信号を受け取っていない場合（入力電流ＩＡ〜ＩＣのいずれも不足していなくて、システム電流Ｉｓが不足していない場合）には、システム電流Ｉｓを減少させる。また、システム電流制御部７は、定電圧回路６Ａ〜６Ｃのいずれかから警報信号を受け取ると（入力電流ＩＡ〜ＩＣのいずれかが不足していて、システム電流Ｉｓが不足していると）、システム電流Ｉｓを増加させる。
【０１４２】
このようにシステム電流Ｉｓが制御されることにより、システム電流Ｉｓの電流値は、電流不足ぎりぎりの電流値（＝定電圧回路６Ａ〜６Ｃの全ての安定動作に必要最小限の電流値）となる。すなわち、システム電流制御部７は、システム電流Ｉｓの電流値を、定電圧回路６Ａ〜６Ｃの全ての安定動作に必要最小限の電流値となるように制御する。
【０１４３】
本実施形態の電源システム１によれば、システム電流Ｉｓの電流値が、定電圧回路６Ａ〜６Ｃの全ての安定動作に必要最小限の電流値となるように制御されるので、不必要な電流を流さなくて済み、電力消費を少なくすることができる。
【０１４４】
また、外部装置３Ａ〜３Ｃを接続部５Ａ〜５Ｃのいずれに接続しても、利用者によるシステム電流Ｉｓの電流値の設定操作を必要とせずに、システム電流Ｉｓの電流値が、定電圧回路６Ａ〜６Ｃの全ての安定動作に必要最小限の電流値となるように制御される。すなわち、外部装置３Ａ〜３Ｃを接続部５Ａ〜５Ｃのいずれに接続しても、自動的に、システム電流Ｉｓの電流値が、定電圧回路６Ａ〜６Ｃの全ての安定動作に必要最小限の電流値となるように制御される。従って、利便性が向上する。また、負荷電流ＩＬＡ〜ＩＬＣに変動があっても、常に、最小電流での定電圧回路６Ａ〜６Ｃの全ての安定動作が可能である。
【０１４５】
なお、本実施形態において、各定電圧回路６Ａ〜６Ｃは、出力電圧ＶＡ〜ＶＣに代えて、シャント電流ＩｓｈＡ〜ＩｓｈＣをモニターし、シャント電流ＩｓｈＡ〜ＩｓｈＣが所定の電流値以下になると、警報信号を送出するようにしてもよい。また、各定電圧回路６Ａ〜６Ｃは、警報信号として、出力電圧ＶＡ〜ＶＣのモニター値、又は、シャント電流ＩｓｈＡ〜ＩｓｈＣのモニター値を送出するようにしてもよい。この場合、出力電圧ＶＡ〜ＶＣのモニター値、又は、シャント電流ＩｓｈＡ〜ＩｓｈＣのモニター値は、通信によって送出してもよいし、アナログ電位を伝えることによって送出してもよい。
【０１４６】
＜第８の実施形態＞
図１０は、第８の実施形態による電源システムの構成を示す。本実施形態の電源システム１は、接続部５の構成が上記第５の実施形態と異なっている。本実施形態における他の構成については、上記第５の実施形態と同様である。
【０１４７】
本実施形態では、接続部５Ａ〜５Ｃは、各々、複数の接続端子５ａ、５ｂを有している。そして、接続部５Ａの各接続端子５ａには、定電圧回路６Ａの出力ライン６ｄが接続されており、接続部５Ａの各接続端子５ｂには、定電圧回路６Ａの出力ライン６ｅが接続されている。また、接続部５Ｂの各接続端子５ａには、定電圧回路６Ｂの出力ライン６ｄが接続されており、接続部５Ｂの各接続端子５ｂには、定電圧回路６Ｂの出力ライン６ｅが接続されている。また、接続部５Ｃの各接続端子５ａには、定電圧回路６Ｃの出力ライン６ｄが接続されており、接続部５Ｃの各接続端子５ｂには、定電圧回路６Ｃの出力ライン６ｅが接続されている。
【０１４８】
すなわち、各定電圧回路６Ａ〜６Ｃは、複数の負荷８が並列接続され得るようになっている。本実施形態では、接続部５Ａ〜５Ｃは、各々、２つの接続端子５ａ、５ｂを有しており、各定電圧回路６Ａ〜６Ｃは、２つの負荷８が並列接続され得るようになっている。
【０１４９】
図示の例では、外部装置３Ａ−１は、負荷８Ａ−１が接続部５Ａの１つの接続端子５ａ、５ｂ間に接続されるように、接続部５Ａに接続されている。また、外部装置３Ａ−２は、負荷８Ａ−２が接続部５Ａの別の１つの接続端子５ａ、５ｂ間に接続されるように、接続部５Ａに接続されている。また、外部装置３Ｂは、負荷８Ｂが接続部５Ｂの１つの接続端子５ａ、５ｂ間に接続されるように、接続部５Ｂに接続されている。また、外部装置３Ｃ−１は、負荷８Ｃ−１が接続部５Ｃの１つの接続端子５ａ、５ｂ間に接続されるように、接続部５Ｃに接続されている。また、外部装置３Ｃ−２は、負荷８Ｃ−２が接続部５Ｃの別の１つの接続端子５ａ、５ｂ間に接続されるように、接続部５Ｃに接続されている。
【０１５０】
すなわち、定電圧回路６Ａの出力ライン６ｄ、６ｅ間に、外部装置３Ａ−１の負荷８Ａ−１と外部装置３Ａ−２の負荷８Ａ−２が並列に接続されている。また、定電圧回路６Ｂの出力ライン６ｄ、６ｅ間に、外部装置３Ｂの負荷８Ｂが接続されている。また、定電圧回路６Ｃの出力ライン６ｄ、６ｅ間に、外部装置３Ｃ−１の負荷８Ｃ−１と外部装置３Ｃ−２の負荷８Ｃ−２が並列に接続されている。
【０１５１】
各定電圧回路６Ａ〜６Ｃの出力電流ＩＬＡ〜ＩＬＣに大小差がある場合、出力電流の小さい（すなわち、小さい負荷が接続されている）定電圧回路に、別の負荷を並列に接続しても、システム電流Ｉｓの増加を必要としないことがある。これは、各定電圧回路６Ａ〜６Ｃの出力電流ＩＬＡ〜ＩＬＣに大小差がある場合というのは、各定電圧回路６Ａ〜６Ｃのシャント電流ＩｓｈＡ〜ＩｓｈＣに差がある場合だからである。出力電流が小さければ、その分、シャント電流は大きい。また、出力電流が大きければ、その分、シャント電流は小さい。つまり、並列に接続しようとする別の負荷に流れる電流が、その負荷を接続する前のシャント電流ＩｓｈＡ〜ＩｓｈＣの差よりも小さいのであれば、その負荷を出力電流の小さい定電圧回路に並列に接続しても、システム電流Ｉｓの増加を必要としない。
【０１５２】
電源システム１は、各定電圧回路６Ａ〜６Ｃのシャント電流ＩｓｈＡ〜ＩｓｈＣの差が小さいほど、電力効率が良く、消費電力を少なくすることができる。従って、各定電圧回路６Ａ〜６Ｃのシャント電流ＩｓｈＡ〜ＩｓｈＣの差が小さくなるように、負荷８を各定電圧回路６Ａ〜６Ｃに並列接続させれば、消費電力を少なくすることができる。負荷８Ａ−１、負荷８Ａ−２、負荷８Ｂ、負荷８Ｃ−１、負荷８Ｃ−２は、各定電圧回路６Ａ〜６Ｃのシャント電流ＩｓｈＡ〜ＩｓｈＣの差が最も小さくなるように接続されている。
【０１５３】
本実施形態の電源システム１によれば、定電圧回路６は、複数の負荷８が並列接続され得るようになっている。従って、各定電圧回路６Ａ〜６Ｃのシャント電流ＩｓｈＡ〜ＩｓｈＣの差が小さくなるように、負荷８を各定電圧回路６Ａ〜６Ｃに並列接続することにより、システム電流Ｉｓを小さくして、消費電力を少なくすることができる。
【０１５４】
なお、本実施形態において、定電圧回路は、３つ以上の負荷が並列接続され得るようになっていてもよい。すなわち、接続部は、定電圧回路の出力ラインが接続される３つ以上の接続端子を有していてもよい。また、複数の定電圧回路の全てに限られず、複数の定電圧回路のうちの幾つかの定電圧回路が、複数の負荷が並列接続され得るようになっていてもよい。
【０１５５】
＜第９の実施形態＞
図１１は、第９の実施形態による電源システムの構成を示す。本実施形態の電源システム１は、上記第８の実施形態の構成に加え、定電圧回路６Ａ〜６Ｃの出力電流ＩＬＡ〜ＩＬＣの電流値の大小関係を表示する表示部６１をさらに備えている。表示部６１によって、表示手段が構成されている。また、本実施形態の電源システムでは、接続部５Ａ〜５Ｃは、各々、４つの接続端子５ａ、５ｂを有しており、各定電圧回路６Ａ〜６Ｃは、４つの負荷８が並列接続され得るようになっている。本実施形態における他の構成については、上記第８の実施形態と同様である。
【０１５６】
接続部５Ａ〜５Ｃと表示部６１は、電源システム１の筐体６３の側面６３ａに配置されている。
【０１５７】
接続部５Ａ〜５Ｃは、各々、４つの接続端子部６２を有している。各接続端子部６２は、コネクタプラグであり、外部装置３のコネクタ３ｏが自由に接続できるようになっている。すなわち、各接続端子部６２は、外部装置３のコネクタ３ｏを介して、外部装置３の負荷８が自由に接続できるようになっている。各接続端子部６２は、１対の接続端子５ａ、５ｂを筐体６３の側面６３ａに露出させた構成になっており、プラグの内側が＋極（正極）側の接続端子５ａであり、プラグの外側が−極（負極）側の接続端子５ｂである。
【０１５８】
接続部５Ａの４つの接続端子部６２は、筐体６３の側面６３ａの上段に配置されている。接続部５Ｂの４つの接続端子部６２は、筐体６３の側面６３ａの中段に配置されている。接続部５Ｃの４つの接続端子部６２は、筐体６３の側面６３ａの下段に配置されている。
【０１５９】
接続部５Ａの４つの接続端子部６２（上段に配置されている４つの接続端子部６２）は、定電圧回路６Ａに対応している。すなわち、接続部５Ａの４つの接続端子部６２の各接続端子５ａには、定電圧回路６Ａの出力ライン６ｄが接続されており、接続部５Ａの４つの接続端子部６２の各接続端子５ｂには、定電圧回路６Ａの出力ライン６ｅが接続されている。従って、接続部５Ａの４つの接続端子部６２に接続された各負荷８は、定電圧回路６Ａに並列接続される。すなわち、接続部５Ａの４つの接続端子部６２に接続された各負荷８は、定電圧回路６Ａの出力ライン６ｄ、６ｅ間に並列に接続されて、定電圧回路６Ａから電力供給を受ける。
【０１６０】
また、接続部５Ｂの４つの接続端子部６２（中段に配置されている４つの接続端子部６２）は、定電圧回路６Ｂに対応している。すなわち、接続部５Ｂの４つの接続端子部６２の各接続端子５ａには、定電圧回路６Ｂの出力ライン６ｄが接続されており、接続部５Ｂの４つの接続端子部６２の各接続端子５ｂには、定電圧回路６Ｂの出力ライン６ｅが接続されている。従って、接続部５Ｂの４つの接続端子部６２に接続された各負荷８は、定電圧回路６Ｂに並列接続される。すなわち、接続部５Ｂの４つの接続端子部６２に接続された各負荷８は、定電圧回路６Ｂの出力ライン６ｄ、６ｅ間に並列に接続されて、定電圧回路６Ｂから電力供給を受ける。
【０１６１】
また、接続部５Ｃの４つの接続端子部６２（下段に配置されている４つの接続端子部６２）は、定電圧回路６Ｃに対応している。すなわち、接続部５Ｃの４つの接続端子部６２の各接続端子５ａには、定電圧回路６Ｃの出力ライン６ｄが接続されており、接続部５Ｃの４つの接続端子部６２の各接続端子５ｂには、定電圧回路６Ｃの出力ライン６ｅが接続されている。従って、接続部５Ｃの４つの接続端子部６２に接続された各負荷８は、定電圧回路６Ｃに並列接続される。すなわち、接続部５Ｃの４つの接続端子部６２に接続された各負荷８は、定電圧回路６Ｃの出力ライン６ｄ、６ｅ間に並列に接続されて、定電圧回路６Ｃから電力供給を受ける。
【０１６２】
図示の例では、接続部５Ａの１つの接続端子部６２、接続部５Ｂの２つの接続端子部６２、及び接続部５Ｃの１つの接続端子部６２に、各々、負荷８が接続されている。すなわち、定電圧回路６Ａの出力ライン６ｄ、６ｅ間に、１つの負荷８が接続されており、定電圧回路６Ｂの出力ライン６ｄ、６ｅ間に、２つの負荷８が並列に接続されており、定電圧回路６Ｃの出力ライン６ｄ、６ｅ間に、１つの負荷８が接続されている。
【０１６３】
表示部６１は、定電圧回路６Ａ〜６Ｃの出力電流ＩＬＡ〜ＩＬＣの大きさを表示するためのインジケータ６４Ａ、６４Ｂ、６４Ｃを備えている。各インジケータ６４Ａ〜６４Ｃは、複数のランプ６５が１列に配列された構成になっている。
【０１６４】
インジケータ６４Ａは、定電圧回路６Ａの出力電流ＩＬＡの大きさ（接続部５Ａの４つの接続端子部６２に接続されている負荷８に流れる合計電流の大きさ）を表示するものであり、筐体６３の側面６３ａの上段に配置されている。インジケータ６４Ｂは、定電圧回路６Ｂの出力電流ＩＬＢの大きさ（接続部５Ｂの４つの接続端子部６２に接続されている負荷８に流れる合計電流の大きさ）を表示するものであり、筐体６３の側面６３ａの中段に配置されている。インジケータ６４Ｃは、定電圧回路６Ｃの出力電流ＩＬＣの大きさ（接続部５Ｃの４つの接続端子部６２に接続されている負荷８に流れる合計電流の大きさ）を表示するものであり、筐体６３の側面６３ａの下段に配置されている。
【０１６５】
インジケータ６４Ａは、定電圧回路６Ａの出力電流ＩＬＡの大きさに応じて、出力電流ＩＬＡの大きさに対応する個数だけランプ６５を点灯することによって、定電圧回路６Ａの出力電流ＩＬＡの大きさをレベル表示する。すなわち、インジケータ６４Ａは、定電圧回路６Ａの出力電流ＩＬＡの電流値が小さいほど、ランプ６５の点灯個数を少なく（電流値が０のときには、全てのランプ６５を消灯）する。また、インジケータ６４Ａは、定電圧回路６Ａの出力電流ＩＬＡの電流値が大きいほど、ランプ６５の点灯個数を多くする。
【０１６６】
また、インジケータ６４Ｂは、定電圧回路６Ｂの出力電流ＩＬＢの大きさに応じて、出力電流ＩＬＢの大きさに対応する個数だけランプ６５を点灯することによって、定電圧回路６Ｂの出力電流ＩＬＢの大きさをレベル表示する。すなわち、インジケータ６４Ｂは、定電圧回路６Ｂの出力電流ＩＬＢの電流値が小さいほど、ランプ６５の点灯個数を少なく（電流値が０のときには、全てのランプ６５を消灯）する。また、インジケータ６４Ｂは、定電圧回路６Ｂの出力電流ＩＬＢの電流値が大きいほど、ランプ６５の点灯個数を多くする。
【０１６７】
また、インジケータ６４Ｃは、定電圧回路６Ｂの出力電流ＩＬＣの大きさに応じて、出力電流ＩＬＣの大きさに対応する個数だけランプ６５を点灯することによって、定電圧回路６Ｃの出力電流ＩＬＣの大きさをレベル表示する。すなわち、インジケータ６４Ｃは、定電圧回路６Ｃの出力電流ＩＬＣの電流値が小さいほど、ランプ６５の点灯個数を少なく（電流値が０のときには、全てのランプ６５を消灯）する。また、インジケータ６４Ｃは、定電圧回路６Ｃの出力電流ＩＬＣの電流値が大きいほど、ランプ６５の点灯個数を多くする。
【０１６８】
このような構成の表示部６１は、インジケータ６４Ａ〜６４Ｃのランプ６５の点灯個数によって、定電圧回路６Ａ〜６Ｃの出力電流ＩＬＡ〜ＩＬＣの電流値の大小関係をレベル表示する。
【０１６９】
図示の例では、インジケータ６４Ｂのランプ６５の点灯個数が最も多く、定電圧回路６Ｂの出力電流ＩＬＢの電流値が最も大きい（定電圧回路６Ａの出力電流ＩＬＡの電流値、及び定電圧回路６Ｃの出力電流ＩＬＣの電流値よりも大きい）ことが表示されている。また、インジケータ６４Ａのランプ６５の点灯個数とインジケータ６４Ｃのランプ６５の点灯個数とが同じであり、定電圧回路６Ａの出力電流ＩＬＡの電流値と定電圧回路６Ｃの出力電流ＩＬＣの電流値とがほぼ同じであることが表示されている。
【０１７０】
本実施形態の電源システム１によれば、利用者が、外部装置３を（外部装置３のコネクタ３ｏ）を接続部５Ａ〜５Ｃの接続端子部６２に抜き差しして、表示部６１の表示を見ることにより、外部装置３の接続先（負荷８の接続先）の決定の参考とすることができる。また、表示部６１の各インジケータ６４Ａ〜６４Ｃのレベル（ランプ６５の点灯個数）ができるだけ揃うように、外部装置３を接続部５Ａ〜５Ｃの接続端子部６２に差し込むことにより、最適な接続を実現できる。すなわち、このように接続すれば、定電圧回路６Ａ〜６Ｃの出力電流ＩＬＡ〜ＩＬＣの電流値の差を小さくすることができ、システム電流Ｉｓを小さくすることができて、消費電力を少なくすることができる。
【０１７１】
なお、本実施形態において、表示部６１は、定電圧回路６Ａ〜６Ｃの出力電流ＩＬＡ〜ＩＬＣの電流値をデジタル表示（数値表示）するものであってもよい。また、表示部６１は、最小の出力電流になっている定電圧回路や最大の出力電流になっている定電圧回路を、ＬＥＤランプの点等、消灯等によって示す表示をするものであってもよい。
【０１７２】
＜第１０の実施形態＞
図１２は、第１０の実施形態による電源システムの構成を示す。本実施形態の電源システム１は、上記第２の実施形態の構成に加え、定電圧回路６に接続される負荷８（接続部５に接続される外部装置３の負荷８）への電力供給を遮断する遮断制限スイッチ７１（７１Ａ、７１Ｂ、７１Ｃ）をさらに備えている。また、定電圧回路６をバイパするバイパススイッチ７２（７２Ａ、７２Ｂ、７２Ｃ）をさらに備えている。また、電源システム１の異常を監視する監視部７３（７３Ａ、７３Ｂ、７３Ｃ）をさらに備えている。遮断制限スイッチ７１（７１Ａ、７１Ｂ、７１Ｃ）によって、電力供給遮断制限手段が構成されている。また、バイパススイッチ７２（７２Ａ、７２Ｂ、７２Ｃ）によって、バイパス手段が構成されている。また、監視部７３（７３Ａ、７３Ｂ、７３Ｃ）によって、回路監視手段が構成されている。本実施形態における他の構成については、上記第２の実施形態と同様である。
【０１７３】
遮断制限スイッチ７１Ａは、定電圧回路６Ａに接続される負荷８Ａ（接続部５Ａに接続される外部装置３Ａの負荷８Ａ）への電力供給を遮断するものであり、定電圧回路６Ａの出力ライン６ｄ、６ｅと接続部５Ａの接続端子５ａ、５ｂとの間に設けられている。遮断制限スイッチ７１Ｂは、定電圧回路６Ｂに接続される負荷８Ｂ（接続部５Ｂに接続される外部装置３Ｂの負荷８Ｂ）への電力供給を遮断するものであり、定電圧回路６Ｂの出力ライン６ｄ、６ｅと接続部５Ｂの接続端子５ａ、５ｂとの間に設けられている。遮断制限スイッチ７１Ｃは、定電圧回路６Ｃに接続される負荷８Ｃ（接続部５Ｃに接続される外部装置３Ｃの負荷８Ｃ）への電力供給を遮断するものであり、定電圧回路６Ｃの出力ライン６ｄ、６ｅと接続部５Ｃの接続端子５ａ、５ｂとの間に設けられている。
【０１７４】
遮断制限スイッチ７１Ａ、７１Ｂ、７１Ｃは、例えば、トランジスタなどの電子スイッチであり、監視部７３Ａ、７３Ｂ、７３Ｃによって、オン状態とオフ状態とに切換えられる。遮断制限スイッチ７１Ａがオン状態のときには、定電圧回路６Ａの出力ライン６ｄ、６ｅと接続部５Ａの接続端子５ａ、５ｂとが接続状態となり、定電圧回路６Ａに接続される負荷８Ａへの電力供給が行われる。また、遮断制限スイッチ７１Ａがオフ状態のときには、定電圧回路６Ａの出力ライン６ｄ、６ｅと接続部５Ａの接続端子５ａ、５ｂとが切断状態となり、定電圧回路６Ａに接続される負荷８Ａへの電力供給が遮断される。同様に、遮断制限スイッチ７１Ｂがオン状態のときには、定電圧回路６Ｂに接続される負荷８Ｂへの電力供給が行われ、遮断制限スイッチ７１Ｂがオフ状態のときには、定電圧回路６Ｂに接続される負荷８Ｂへの電力供給が遮断される。また同様に、遮断制限スイッチ７１Ｃがオン状態のときには、定電圧回路６Ｃに接続される負荷８Ｃへの電力供給が行われ、遮断制限スイッチ７１Ｃがオフ状態のときには、定電圧回路６Ｃに接続される負荷８Ｃへの電力供給が遮断される。
【０１７５】
バイパススイッチ７２Ａは、定電圧回路６Ａをバイパスするものであり、定電圧回路６Ａの入力ライン６ａ、６ｂ間に設けられている。バイパススイッチ７２Ｂは、定電圧回路６Ｂをバイパスするものであり、定電圧回路６Ｂの入力ライン６ａ、６ｂ間に設けられている。バイパススイッチ７２Ｃは、定電圧回路６Ｃをバイパスするものであり、定電圧回路６Ｃの入力ライン６ａ、６ｂ間に設けられている。
【０１７６】
バイパススイッチ７２Ａ、７２Ｂ、７２Ｃは、例えば、トランジスタなどの電子スイッチであり、監視部７３Ａ、７３Ｂ、７３Ｃによって、オン状態とオフ状態とに切換えられる。バイパススイッチ７２Ａがオン状態のときには、定電圧回路６Ａの入力ライン６ａと入力ライン６ｂとが接続状態となり、定電圧回路６Ａがバイパスされる。また、バイパススイッチ７２Ａがオフ状態のときには、定電圧回路６Ａの入力ライン６ａと入力ライン６ｂとが切断状態となり、定電圧回路６Ａがバイパスされない。同様に、バイパススイッチ７２Ｂがオン状態のときには、定電圧回路６Ｂがバイパスされて、バイパススイッチ７２Ｂがオフ状態のときには、定電圧回路６Ｂがバイパスされない。また同様に、バイパススイッチ７２Ｃがオン状態のときには、定電圧回路６Ｃがバイパスされて、バイパススイッチ７２Ｃがオフ状態のときには、定電圧回路６Ｃがバイパスされない。
【０１７７】
監視部７３Ａは、定電圧回路６Ａの出力電圧ＶＡを監視することにより過負荷（負荷短絡を含む）を検出する。すなわち、監視部７３Ａは、定電圧回路６Ａの出力電圧ＶＡが所定の値（例えば設定電圧値よりも所定値εだけ小さい電圧値）より下回っている場合に、定電圧回路６Ａに接続されている負荷８Ａが過負荷であると判断する。負荷８Ａが過負荷である場合には、負荷８Ａに流れる電流が不足する（すなわち、定電圧回路６Ａの出力電流ＩＬＡが不足する）ため、定電圧回路６Ａの出力電圧ＶＡが低下する。従って、定電圧回路６Ａの出力電圧ＶＡが所定の値より下回っている場合に、負荷８Ａが過負荷であると判断できる。また、監視部７３Ａは、遮断制限スイッチ７１Ａ及びバイパススイッチ７２Ａを制御する。同様に、監視部７３Ｂは、定電圧回路６Ｂの出力電圧ＶＢを監視することにより過負荷（定電圧回路６Ｂに接続されている負荷８Ｂが過負荷であるか否か）を検出し、また、遮断制限スイッチ７１Ｂ及びバイパススイッチ７２Ｂを制御する。また同様に、監視部７３Ｃは、定電圧回路６Ｃの出力電圧ＶＣを監視することにより過負荷（定電圧回路６Ｃに接続されている負荷８Ｃが過負荷であるか否か）を検出し、また、遮断制限スイッチ７１Ｃ及びバイパススイッチ７２Ｃを制御する。
【０１７８】
監視部７３Ａは、過負荷を検出していないときには、遮断制限スイッチ７１Ａをオン状態にしていると共に、バイパススイッチ７２Ａをオフ状態にしている。そして、監視部７３Ａは、過負荷を検出したときに、過負荷の原因となっている負荷８Ａへの電力供給を遮断するように、遮断制限スイッチ７１Ａを制御する。また、監視部７３Ａは、これと同時に、過負荷の原因となっている負荷８Ａが接続されている定電圧回路６Ａをバイパスするように、バイパススイッチ７２Ａを制御する。すなわち、監視部７３Ａは、過負荷を検出したときに、遮断制限スイッチ７１Ａをオフ状態にすると共に、バイパススイッチ７２Ａをオン状態にする。同様に、監視部７３Ｂは、過負荷を検出していないときには、遮断制限スイッチ７１Ｂをオン状態、バイパススイッチ７２Ｂをオフ状態にしており、過負荷を検出したときに、遮断制限スイッチ７１Ｂをオフ状態、バイパススイッチ７２Ｂをオン状態にする。また同様に、監視部７３Ｃは、過負荷を検出していないときには、遮断制限スイッチ７１Ｃをオン状態、バイパススイッチ７２Ｃをオフ状態にしており、過負荷を検出したときに、遮断制限スイッチ７１Ｃをオフ状態、バイパススイッチ７２Ｃをオン状態にする。
【０１７９】
このような構成において、例えば、監視部７３Ａが過負荷を検出したとする。すると、監視部７３Ａは、遮断制限スイッチ７１Ａをオフ状態にすると共に、バイパススイッチ７２Ａをオン状態にし、定電圧回路６Ａに接続される負荷８Ａへの電力供給が遮断されると共に、定電圧回路６Ａがバイパスされる。これにより、定電圧回路６Ａは、正常に動作できなくなるが、定電圧回路６Ｂと定電圧回路６Ｃは、正常に動作できる。
【０１８０】
また、監視部７３Ｂが過負荷を検出したとする。すると、監視部７３Ｂは、遮断制限スイッチ７１Ｂをオフ状態にすると共に、バイパススイッチ７２Ｂをオン状態にし、定電圧回路６Ｂに接続される負荷８Ｂへの電力供給が遮断されると共に、定電圧回路６Ｂがバイパスされる。これにより、定電圧回路６Ｂは、正常に動作できなくなるが、定電圧回路６Ａと定電圧回路６Ｃは、正常に動作できる。
【０１８１】
また、監視部７３Ｃが過負荷を検出したとする。すると、監視部７３Ｃは、遮断制限スイッチ７１Ｃをオフ状態にすると共に、バイパススイッチ７２Ｃをオン状態にし、定電圧回路６Ｃに接続される負荷８Ｃへの電力供給が遮断されると共に、定電圧回路６Ｃがバイパスされる。これにより、定電圧回路６Ｃは、正常に動作できなくなるが、定電圧回路６Ａと定電圧回路６Ｂは、正常に動作できる。
【０１８２】
本実施形態の電源システム１によれば、負荷８Ａ〜８Ｃのいずれかに過負荷が発生した場合、その負荷への電力供給が遮断されることにより、安全を確保できる。また、過負荷の原因となっている負荷の接続されている定電圧回路がバイパスされることにより、他の定電圧回路は、正常に動作し得る。
【０１８３】
なお、本実施形態において、遮断制限スイッチ７１Ａ〜７１Ｃ、バイパススイッチ７２Ａ〜７２Ｃは、手動によって、オン状態とオフ状態とに切換えられるものであってもよい。この場合、監視部７３Ａ〜７３Ｃは、過負荷を検出したときに、液晶パネルやＬＥＤランプなどの報知手段によって、過負荷であることを報知すればよい。そして、利用者が、過負荷の原因となっている負荷への電力供給を遮断するように、遮断制限スイッチを手動によってオフ状態にし、過負荷の原因となっている定電圧回路をバイパスするように、バイパススイッチを手動でオン状態にすればよい。
【０１８４】
また、本実施形態において、監視部７３Ａ〜７３Ｃは、例えばパソコンなどの外部制御装置からの制御信号を受けて、遮断制限スイッチ７１Ａ〜７１Ｃ及びバイパススイッチ７２Ａ〜７２Ｃを制御するようにしてもよい。このような構成によれば、例えば、特定の負荷への電力供給をタイマ動作によって制御（特定の負荷への電力供給を時間によって遮断）することができる。また、例えば、外部装置の数が接続部の数より少なくて、設定する出力電圧が高い場合などに、定電圧回路の直列段数を下げることができる。
【０１８５】
また、本実施形態において、監視部７３Ａ〜７３Ｃでの出力電圧ＶＡ〜ＶＣの監視結果を総合的に判断して、監視部７３Ａ〜７３Ｃでの遮断制限スイッチ７１Ａ〜７１Ｃ及びバイパススイッチ７２Ａ〜７２Ｃの制御を総合的に制御する手段を備えていてもよい。このような構成によれば、負荷８Ａ〜８Ｃの過負荷に加えて、負荷８Ａ〜８Ｃの地絡を検出することができる。負荷８Ａ〜８Ｃが地絡した場合には、負荷８Ａ〜８Ｃのいずれが地絡しているかによって、また、負荷８Ａ〜８Ｃが接続端子５ａ側（＋側）と接続端子５ｂ側（−側）のどちら側で地絡しているかによって、出力電圧ＶＡ〜ＶＣが各々変動する。従って、出力電圧ＶＡ〜ＶＣの監視結果を総合的に判断することにより、負荷８Ａ〜８Ｃの地絡を検出することができる。そして、地絡の原因となっている負荷の接続されている定電圧回路をバイパスさせることにより、他の定電圧回路を正常に動作させることができる。
【０１８６】
また、本実施形態において、監視部７３Ａ〜７３Ｃは、定電圧回路６Ａ〜６Ｃの出力電流ＩＬＡ〜ＩＬＣを監視することにより過負荷又は地絡を検出するようにしてもよい。また、遮断制限スイッチ７１Ａ〜７１Ｃは、定電圧回路６Ａ〜６Ｃに接続される負荷８Ａ〜８Ｃへの電力供給を制限するものであってもよい。
【０１８７】
＜第１１の実施形態＞
図１３は、第１１の実施形態による電源システムの構成を示す。本実施形態の電源システム１は、上記第２の実施形態の構成に加え、電源システム１の異常を監視する監視部８１をさらに備えている。監視部８１によって、システム監視手段が構成されている。また、本実施形態の電源システム１では、システム電流制御部７は、過負荷のときに、システム電流Ｉｓを遮断するようになっている。システム電流制御部７によって、システム電流遮断制限手段が構成されている（システム電流制御部７は、システム電流制御手段とシステム電流遮断制限手段とを兼ねている）。本実施形態における他の構成については、上記第２の実施形態と同様である。
【０１８８】
本実施形態では、監視部８１は、定電圧回路６Ａ〜６Ｃの出力電圧ＶＡ〜ＶＣの合計電圧ＶＴを監視するようになっている。また、監視部８１は、定電圧回路６Ａの出力電圧ＶＡの設定電圧値Ｖ１、定電圧回路６Ｂの出力電圧ＶＢの設定電圧値Ｖ２、定電圧回路６Ｃの出力電圧ＶＣの設定電圧値Ｖ３を記憶している。これら設定電圧値Ｖ１〜Ｖ３は、パソコンなどの外部制御装置から、出力電圧設定情報として与えられる。すなわち、監視部８１には、パソコンなどの外部制御装置から、設定電圧値Ｖ１〜Ｖ３を示す出力電圧設定情報が与えられるようになっており、監視部８１は、外部制御装置から与えられた出力電圧設定情報の示す設定電圧値Ｖ１〜Ｖ３を記憶している。また、監視部８１は、システム電流制御部７を制御する。
【０１８９】
監視部８１は、常時、定電圧回路６Ａ〜６Ｃの出力電圧ＶＡ〜ＶＣの合計電圧ＶＴを監視している。そして、監視部８１は、定電圧回路６Ａ〜６Ｃの出力電圧ＶＡ〜ＶＣの合計電圧ＶＴを監視することにより過負荷（負荷短絡を含む）や地絡などの異常を検出する。すなわち、監視部８１は、合計電圧ＶＴと、定電圧回路６Ａ〜６Ｃの出力電圧ＶＡ〜ＶＣの設定電圧値Ｖ１〜Ｖ３の和との差が、所定値ε未満でない場合に、異常であると判断する。つまり、監視部８１は、｜Ｖ１＋Ｖ２＋Ｖ３−ＶＴ｜＜εでない場合に、異常であると判断する。
【０１９０】
負荷８Ａが過負荷である場合には、定電圧回路６Ａの出力電圧ＶＡが低下し、負荷８Ｂが過負荷である場合には、定電圧回路６Ｂの出力電圧ＶＢが低下し、負荷８Ｃが過負荷である場合には、定電圧回路６Ｃの出力電圧ＶＣが低下する。
【０１９１】
また、負荷８Ａが接続部５Ａの接続端子５ａ側（＋側）で地絡している場合には、定電圧回路６Ａの入力電流ＩＡは、定電圧回路６Ａの動作回路部６ｃ及び負荷８Ａに流れることなく、ＧＮＤ（＝直流電源２の負電位）に流れる。また、入力電流ＩＡがＧＮＤに流れるために、定電圧回路６Ｂ、６Ｃには、入力電流ＩＢ、ＩＣが流れない。従って、この場合には、定電圧回路６Ａ〜６Ｃの出力電圧ＶＡ〜ＶＣは、各々、電圧値が０になる。
【０１９２】
また、負荷８Ａが接続部５Ａの接続端子５ｂ側（−側）で地絡している場合には、定電圧回路６Ａの入力電流ＩＡは、定電圧回路６Ａの動作回路部６ｃ及び負荷８Ａに流れた後に、ＧＮＤに流れる。また、入力電流ＩＡがＧＮＤに流れるために、定電圧回路６Ｂ、６Ｃには、入力電流ＩＢ、ＩＣが流れない。従って、この場合には、定電圧回路６Ａの出力電圧ＶＡは、電圧値が正常に保たれ、定電圧回路６Ｂ、６Ｃの出力電圧ＶＢ、ＶＣは、各々、電圧値が０になる。
【０１９３】
また、負荷８Ｂが接続部５Ｂの接続端子５ａ側（＋側）で地絡している場合には、定電圧回路６Ｂの入力電流ＩＢは、定電圧回路６Ｂの動作回路部６ｃ及び負荷８Ｂに流れることなく、ＧＮＤに流れる。また、定電圧回路６Ａには、入力電流ＩＡが流れ、定電圧回路６Ｃには、入力電流ＩＣが流れない。従って、この場合には、定電圧回路６Ａの出力電圧ＶＡは、電圧値が正常に保たれ、定電圧回路６Ｂ、６Ｃの出力電圧ＶＢ、ＶＣは、各々、電圧値が０になる。
【０１９４】
また、負荷８Ｂが接続部５Ｂの接続端子５ｂ側（−側）で地絡している場合には、定電圧回路６Ｂの入力電流ＩＢは、定電圧回路６Ｂの動作回路部６ｃ及び負荷８Ｂに流れた後に、ＧＮＤに流れる。また、定電圧回路６Ａには、入力電流ＩＡが流れ、定電圧回路６Ｃには、入力電流ＩＣが流れない。従って、この場合には、定電圧回路６Ａの出力電圧ＶＡ、ＶＢは、電圧値が正常に保たれ、定電圧回路６Ｃの出力電圧ＶＣは、電圧値が０になる。
【０１９５】
また、負荷８Ｃが接続部５Ｃの接続端子５ａ側（＋側）で地絡している場合には、定電圧回路６Ｃの入力電流ＩＣは、定電圧回路６Ｃの動作回路部６ｃ及び負荷８Ｃに流れることなく、ＧＮＤに流れる。また、定電圧回路６Ａ、６Ｂには、入力電流ＩＡ、ＩＢが流れる。従って、この場合には、定電圧回路６Ａ、６Ｂの出力電圧ＶＡ、ＶＢは、電圧値が正常に保たれ、定電圧回路６Ｃの出力電圧ＶＣは、電圧値が０になる。
【０１９６】
また、負荷８Ｃが接続部５Ｃの接続端子５ｂ側（−側）で地絡している場合には、定電圧回路６Ｃの入力電流ＩＣは、定電圧回路６Ｃの動作回路部６ｃ及び負荷８Ｃに流れた後に、ＧＮＤに流れる。また、定電圧回路６Ａ、６Ｂには、入力電流ＩＡ、ＩＢが流れる。従って、この場合には、定電圧回路６Ａ〜６Ｃの出力電圧ＶＡ〜ＶＣは、電圧値が正常に保たれる。
【０１９７】
これらのことから、出力電圧ＶＡ〜ＶＣの合計電圧ＶＴと、出力電圧ＶＡ〜ＶＣの設定電圧値Ｖ１〜Ｖ３の和との差が、所定値ε未満でない場合に、過負荷や地絡などの異常であると判断できる。なお、システム電流制御部７には（定電流回路１２には）、直流電圧Ｖｉｎから出力電圧ＶＡ〜ＶＣを差し引いた電圧がかかり、出力電圧ＶＡ〜ＶＣの合計電圧ＶＴは、システム電流制御部７と定電圧回路６Ａとの接続点における電位である。
【０１９８】
監視部８１は、異常（過負荷や地絡など）を検出したときに、システム電流Ｉｓを遮断するように、システム電流制御部７を制御する。すなわち、監視部８１は、異常を検出したときに、システム電流Ｉｓの電流値を０に設定するための設定信号（設定すべき電流値が０であることを示す信号）をシステム電流制御部７に与える。これにより、システム電流制御部７は、監視部８１からの設定信号を受けて、システム電流Ｉｓの電流値を０にして、システム電流Ｉｓを遮断する。
【０１９９】
すなわち、システム電流制御部７は、異常でない場合（出力電圧ＶＡ〜ＶＣの合計電圧ＶＴと、出力電圧ＶＡ〜ＶＣの設定電圧値Ｖ１〜Ｖ３の和との差が、所定値ε未満である場合）には、システム電流Ｉｓの電流値を、既に設定されている電流値に保つ。そして、システム電流制御部７は、異常である場合（出力電圧ＶＡ〜ＶＣの合計電圧ＶＴと、出力電圧ＶＡ〜ＶＣの設定電圧値Ｖ１〜Ｖ３の和との差が、所定値ε未満でない場合）には、システム電流Ｉｓを遮断する。
【０２００】
本実施形態の電源システム１によれば、負荷８Ａ〜８Ｃのいずれかに過負荷（負荷短絡を含む）や地絡などの異常が発生した場合、全ての負荷８Ａ〜８Ｃへの電力供給が遮断されることにより、安全を確保できる。また、異常を検出するための監視部８１が１つで済む。
【０２０１】
なお、本実施形態において、監視部８１は、システム電流Ｉｓを監視することにより異常を検出するようにしてもよい。また、監視部８１は、異常を検出したとき、システム電流Ｉｓを制限する（減少させる）ように、システム電流制御部７を制御してもよい。すなわち、監視部８１は、異常を検出したときに、電流値を設定するための設定信号として、既に設定されている電流値よりも小さい電流値を示す設定信号をシステム電流制御部７に与えるようにしてもよい。
【０２０２】
＜第１２の実施形態＞
図１４は、第１２の実施形態による電源システムの構成を示す。本実施形態の電源システム１は、監視部７３の構成が上記第１０の実施形態と異なっている。監視部７３によって、システム監視手段が構成されている。本実施形態における他の構成については、上記第１０の実施形態と同様である。
【０２０３】
本実施形態では、監視部７３は、定電圧回路６Ａ〜６Ｃの出力電圧ＶＡ〜ＶＣの合計電圧ＶＴを監視するようになっている。また、監視部７３は、定電圧回路６Ａの出力電圧ＶＡの設定電圧値Ｖ１、定電圧回路６Ｂの出力電圧ＶＢの設定電圧値Ｖ２、定電圧回路６Ｃの出力電圧ＶＣの設定電圧値Ｖ３を記憶している。これら設定電圧値Ｖ１〜Ｖ３は、パソコンなどの外部制御装置から、出力電圧設定情報として与えられる。すなわち、監視部７３には、パソコンなどの外部制御装置から、設定電圧値Ｖ１〜Ｖ３を示す出力電圧設定情報が与えられるようになっており、監視部７３は、外部制御装置から与えられた出力電圧設定情報の示す設定電圧値Ｖ１〜Ｖ３を記憶している。また、監視部７３は、遮断制限スイッチ７１Ａ〜７１Ｃ及びバイパススイッチ７２Ａ〜７２Ｃを制御する。
【０２０４】
監視部７３は、常時、定電圧回路６Ａ〜６Ｃの出力電圧ＶＡ〜ＶＣの合計電圧ＶＴを監視している。そして、監視部７３は、定電圧回路６Ａ〜６Ｃの出力電圧ＶＡ〜ＶＣの合計電圧ＶＴを監視することにより過負荷（負荷短絡を含む）や地絡などの異常を検出する。すなわち、監視部７３は、合計電圧ＶＴと、定電圧回路６Ａ〜６Ｃの出力電圧ＶＡ〜ＶＣの設定電圧値Ｖ１〜Ｖ３の和との差が、所定値ε未満でない場合に、異常であると判断する。つまり、監視部７３は、｜Ｖ１＋Ｖ２＋Ｖ３−ＶＴ｜＜εでない場合に、異常であると判断する。
【０２０５】
負荷８Ａが過負荷である場合には、定電圧回路６Ａの出力電圧ＶＡが低下し、負荷８Ｂが過負荷である場合には、定電圧回路６Ｂの出力電圧ＶＢが低下し、負荷８Ｃが過負荷である場合には、定電圧回路６Ｃの出力電圧ＶＣが低下する。
【０２０６】
また、負荷８Ａが接続部５Ａの接続端子５ａ側（＋側）で地絡している場合には、定電圧回路６Ａ〜６Ｃの出力電圧ＶＡ〜ＶＣは、各々、電圧値が０になる。また、負荷８Ａが接続部５Ａの接続端子５ｂ側（−側）で地絡している場合には、定電圧回路６Ａの出力電圧ＶＡは、電圧値が正常に保たれ、定電圧回路６Ｂ、６Ｃの出力電圧ＶＢ、ＶＣは、各々、電圧値が０になる。
【０２０７】
また、負荷８Ｂが接続部５Ｂの接続端子５ａ側（＋側）で地絡している場合には、定電圧回路６Ａの出力電圧ＶＡは、電圧値が正常に保たれ、定電圧回路６Ｂ、６Ｃの出力電圧ＶＢ、ＶＣは、各々、電圧値が０になる。また、負荷８Ｂが接続部５Ｂの接続端子５ｂ側（−側）で地絡している場合には、定電圧回路６Ａの出力電圧ＶＡ、ＶＢは、電圧値が正常に保たれ、定電圧回路６Ｃの出力電圧ＶＣは、電圧値が０になる。
【０２０８】
また、負荷８Ｃが接続部５Ｃの接続端子５ａ側（＋側）で地絡している場合には、定電圧回路６Ａ、６Ｂの出力電圧ＶＡ、ＶＢは、電圧値が正常に保たれ、定電圧回路６Ｃの出力電圧ＶＣは、電圧値が０になる。また、負荷８Ｃが接続部５Ｃの接続端子５ｂ側（−側）側で地絡している場合には、定電圧回路６Ａ〜６Ｃの出力電圧ＶＡ〜ＶＣは、電圧値が正常に保たれる。
【０２０９】
これらのことから、出力電圧ＶＡ〜ＶＣの合計電圧ＶＴと、出力電圧ＶＡ〜ＶＣの設定電圧値Ｖ１〜Ｖ３の和との差が、所定値ε未満でない場合に、過負荷や地絡などの異常であると判断できる。なお、システム電流制御部７には（定電流回路１２には）、直流電圧Ｖｉｎから出力電圧ＶＡ〜ＶＣを差し引いた電圧がかかり、出力電圧ＶＡ〜ＶＣの合計電圧ＶＴは、システム電流制御部７と定電圧回路６Ａとの接続点における電位である。
【０２１０】
監視部７３は、異常（過負荷や地絡など）を検出していないときには、遮断制限スイッチ７１Ａ〜７１Ｃをオン状態にしていると共に、バイパススイッチ７２Ａ〜７２Ｃをオフ状態にしている。そして、監視部７３は、異常を検出したときに、負荷８Ａ〜８Ｃのうちの異常の原因となっている負荷への電力供給を遮断するように、遮断制限スイッチ７１Ａ〜７１Ｃを制御する。また、監視部７３は、これと同時に、定電圧回路６Ａ〜６Ｃのうちの異常の原因となっている負荷が接続されている定電圧回路をバイパスするように、バイパススイッチ７２Ａ〜７２Ｃを制御する。
【０２１１】
すなわち、監視部７３は、異常を検出したときに、所定のルーチンに基いて、定電圧回路６Ａ〜６Ｃの中から、異常の原因となっている負荷が接続されている定電圧回路を割り出す。そして、監視部７３は、その割り出した定電圧回路に接続されている負荷への電力供給を遮断するように、遮断制限スイッチ７１Ａ〜７１Ｃを制御すると共に、その割り出した定電圧回路をバイパスするように、バイパススイッチ７２Ａ〜７２Ｃを制御する。つまり、割り出した定電圧回路が定電圧回路６Ａであった場合には、遮断制限スイッチ７１Ａをオフ状態にすると共に、バイパススイッチ７２Ａをオン状態にする。また、割り出した定電圧回路が定電圧回路６Ｂであった場合には、遮断制限スイッチ７１Ｂをオフ状態にすると共に、バイパススイッチ７２Ｂをオン状態にする。また、割り出した定電圧回路が定電圧回路６Ｃであった場合には、遮断制限スイッチ７１Ｃをオフ状態にすると共に、バイパススイッチ７２Ｃをオン状態にする。
【０２１２】
図１５は、監視部７３における、定電圧回路６Ａ〜６Ｃの中から、異常の原因となっている負荷が接続されている定電圧回路を割り出すルーチンのフローチャートを示す。監視部７３は、常時、｜Ｖ１＋Ｖ２＋Ｖ３−ＶＴ｜＜ε（出力電圧ＶＡ〜ＶＣの合計電圧ＶＴと、設定電圧値Ｖ１〜Ｖ３の和との差の絶対値が、所定値ε未満）であるか否かを判定している（＃１）。
【０２１３】
｜Ｖ１＋Ｖ２＋Ｖ３−ＶＴ｜＜εでなければ（＃１でＮＯ）、監視部７３は、異常である（過負荷又は地絡である）と判断し、まず、定電圧回路６Ａに接続されている負荷８Ａへの電力供給を遮断（遮断制限スイッチ７１Ａをオフ状態に）する（＃２）。そして、監視部７３は、｜Ｖ１＋Ｖ２＋Ｖ３−ＶＴ｜＜εであるか否かを判定する（＃３）。
【０２１４】
ここで、｜Ｖ１＋Ｖ２＋Ｖ３−ＶＴ｜＜εであれば（＃３でＹＥＳ）、監視部７３は、定電圧回路６Ａが、異常（過負荷又は地絡）の原因となっている負荷が接続されている定電圧回路であると判定する（＃４）。その後、監視部７３は、定電圧回路６Ａをバイパス（バイパススイッチ７２Ａをオン状態に）する。これにより、定電圧回路６Ａは、正常に動作できなくなるが、定電圧回路６Ｂと定電圧回路６Ｃは、正常に動作できる。
【０２１５】
また、上記＃３において｜Ｖ１＋Ｖ２＋Ｖ３−ＶＴ｜＜εでなければ（＃３でＮＯ）、監視部７３は、定電圧回路６Ｂに接続されている負荷８Ｂへの電力供給を遮断（遮断制限スイッチ７１Ｂをオフ状態に）する（＃５）。また、定電圧回路６Ａに接続されている負荷８Ａへの電力供給を再開（遮断制限スイッチ７１Ａをオン状態に）する（＃６）。そして、監視部７３は、｜Ｖ１＋Ｖ２＋Ｖ３−ＶＴ｜＜εであるか否かを判定する（＃７）。
【０２１６】
ここで、｜Ｖ１＋Ｖ２＋Ｖ３−ＶＴ｜＜εであれば（＃７でＹＥＳ）、監視部７３は、定電圧回路６Ｂが、異常（過負荷又は地絡）の原因となっている負荷が接続されている定電圧回路であると判定する（＃８）。その後、監視部７３は、定電圧回路６Ｂをバイパス（バイパススイッチ７２Ｂをオン状態に）する。これにより、定電圧回路６Ｂは、正常に動作できなくなるが、定電圧回路６Ａと定電圧回路６Ｃは、正常に動作できる。
【０２１７】
また、上記＃７において｜Ｖ１＋Ｖ２＋Ｖ３−ＶＴ｜＜εでなければ（＃７でＮＯ）、監視部７３は、定電圧回路６Ｃが、異常（過負荷又は地絡）の原因となっている負荷が接続されている定電圧回路であると判定する（＃９）。そして、監視部７３は、定電圧回路６Ｃに接続されている負荷８Ｃへの電力供給を遮断（遮断制限スイッチ７１Ｃをオフ状態に）する（＃１０）。また、定電圧回路６Ｂに接続されている負荷８Ｂへの電力供給を再開（遮断制限スイッチ７１Ｂをオン状態に）する（＃１１）。その後、監視部７３は、定電圧回路６Ｃをバイパス（バイパススイッチ７２Ｃをオン状態に）する。これにより、定電圧回路６Ｃは、正常に動作できなくなるが、定電圧回路６Ａと定電圧回路６Ｂは、正常に動作できる。
【０２１８】
監視部７３は、このように、定電圧回路６Ａ〜６Ｃの中から、異常（過負荷又は地絡）の原因となっている負荷が接続されている定電圧回路を割り出して、その定電圧回路に接続されている負荷への電力供給を遮断すると共に、その定電圧回路をバイパスする。
【０２１９】
本実施形態の電源システム１によれば、負荷８Ａ〜８Ｃのいずれかに過負荷（負荷短絡を含む）や地絡などの異常が発生した場合、その負荷への電力供給が遮断されることにより、安全を確保できる。また、異常の原因となっている負荷の接続されている定電圧回路がバイパスされることにより、他の定電圧回路は、正常に動作し得る。また、異常を検出するための監視部７３が１つで済む。
【０２２０】
なお、本実施形態において、監視部７３は、定電圧回路６Ａ〜６Ｃの出力電流ＩＬＡ〜ＩＬＣを監視することにより異常を検出するようにしてもよい。また、遮断制限スイッチ７１Ａ〜７１Ｃは、定電圧回路６Ａ〜６Ｃに接続される負荷８Ａ〜８Ｃへの電力供給を制限するものであってもよい。
【０２２１】
＜第１３の実施形態＞
図１６は、第１３の実施形態による電源システムの構成を示す。本実施形態の電源システム１は、監視部７３の構成が上記第１０の実施形態と異なっている。監視部７３によって、電位監視手段が構成されている。本実施形態における他の構成については、上記第１０の実施形態と同様である。
【０２２２】
本実施形態では、監視部７３は、システム電流制御部７と定電圧回路６Ａとの接続点における電源システム１の最低電位（＝ＧＮＤ）を基準とした電位ＶＳ１を監視するようになっている。また、監視部７３は、定電圧回路６Ａと定電圧回路６Ｂとの接続点における電源システム１の最低電位を基準とした電位ＶＳ２を監視するようになっている。また、監視部７３は、定電圧回路６Ｂと定電圧回路６Ｃとの接続点における電源システム１の最低電位を基準とした電位ＶＳ３を監視するようになっている。また、監視部７３は、定電圧回路６Ａの出力電圧ＶＡの設定電圧値Ｖ１、定電圧回路６Ｂの出力電圧ＶＢの設定電圧値Ｖ２、定電圧回路６Ｃの出力電圧ＶＣの設定電圧値Ｖ３を記憶している。これら設定電圧値Ｖ１〜Ｖ３は、パソコンなどの外部制御装置から、出力電圧設定情報として与えられる。すなわち、監視部７３には、パソコンなどの外部制御装置から、設定電圧値Ｖ１〜Ｖ３を示す出力電圧設定情報が与えられるようになっており、監視部７３は、外部制御装置から与えられた出力電圧設定情報の示す設定電圧値Ｖ１〜Ｖ３を記憶している。また、監視部７３は、遮断制限スイッチ７１Ａ〜７１Ｃ及びバイパススイッチ７２Ａ〜７２Ｃを制御する。
【０２２３】
監視部７３は、常時、電位ＶＳ１を監視している。そして、監視部７３は、この電位ＶＳ１と、定電圧回路６Ａ〜６Ｃの出力電圧ＶＡ〜ＶＣの設定電圧値Ｖ１〜Ｖ３とに基いて、電位不整合状態を検出する。すなわち、監視部７３は、電位ＶＳ１が、定電圧回路６Ａ〜６Ｃの出力電圧ＶＡ〜ＶＣの設定電圧値Ｖ１〜Ｖ３の和に対して所定値ε以上の差がある場合に、電位不整合状態であると判断する。言い換えると、電位ＶＳ１と、設定電圧値Ｖ１〜Ｖ３の和との差が、所定値ε未満でない場合に、電位不整合状態であると判断する。つまり、監視部７３は、｜Ｖ１＋Ｖ２＋Ｖ３−ＶＳ１｜＜εでない場合に、電位不整合状態であると判断する。
【０２２４】
負荷８Ａが過負荷である場合には、定電圧回路６Ａの出力電圧ＶＡが低下し、負荷８Ｂが過負荷である場合には、定電圧回路６Ｂの出力電圧ＶＢが低下し、負荷８Ｃが過負荷である場合には、定電圧回路６Ｃの出力電圧ＶＣが低下する。
【０２２５】
また、負荷８Ａが接続部５Ａの接続端子５ａ側（＋側）で地絡している場合には、定電圧回路６Ａ〜６Ｃの出力電圧ＶＡ〜ＶＣは、各々、電圧値が０になる。また、負荷８Ａが接続部５Ａの接続端子５ｂ側（−側）で地絡している場合には、定電圧回路６Ａの出力電圧ＶＡは、電圧値が正常に保たれ、定電圧回路６Ｂ、６Ｃの出力電圧ＶＢ、ＶＣは、各々、電圧値が０になる。
【０２２６】
また、負荷８Ｂが接続部５Ｂの接続端子５ａ側（＋側）で地絡している場合には、定電圧回路６Ａの出力電圧ＶＡは、電圧値が正常に保たれ、定電圧回路６Ｂ、６Ｃの出力電圧ＶＢ、ＶＣは、各々、電圧値が０になる。また、負荷８Ｂが接続部５Ｂの接続端子５ｂ側（−側）で地絡している場合には、定電圧回路６Ａの出力電圧ＶＡ、ＶＢは、電圧値が正常に保たれ、定電圧回路６Ｃの出力電圧ＶＣは、電圧値が０になる。
【０２２７】
また、負荷８Ｃが接続部５Ｃの接続端子５ａ側（＋側）で地絡している場合には、定電圧回路６Ａ、６Ｂの出力電圧ＶＡ、ＶＢは、電圧値が正常に保たれ、定電圧回路６Ｃの出力電圧ＶＣは、電圧値が０になる。また、負荷８Ｃが接続部５Ｃの接続端子５ｂ側（−側）側で地絡している場合には、定電圧回路６Ａ〜６Ｃの出力電圧ＶＡ〜ＶＣは、電圧値が正常に保たれる。
【０２２８】
これらのことから、過負荷（負荷短絡を含む）や地絡などの異常がある場合に、電位不整合状態が発生する。なお、設定電圧値Ｖ１〜Ｖ３の和は、システム電流制御部７と定電圧回路６Ａとの接続点より電位の低い側に接続されている各定電圧回路の出力電圧設定情報の示す設定電圧値の和である。
【０２２９】
監視部７３は、電位不整合状態を検出していないときには、遮断制限スイッチ７１Ａ〜７１Ｃをオン状態にしていると共に、バイパススイッチ７２Ａ〜７２Ｃをオフ状態にしている。そして、監視部７３は、電位不整合状態を検出したときに、定電圧回路６Ａ〜６Ｃのうちの電位不整合状態の原因となっている定電圧回路に接続されている負荷への電力供給を遮断するように、遮断制限スイッチ７１Ａ〜７１Ｃを制御する。また、監視部７３は、これと同時に、定電圧回路６Ａ〜６Ｃのうちの電位不整合状態の原因となっている定電圧回路をバイパスするように、バイパススイッチ７２Ａ〜７２Ｃを制御する。
【０２３０】
すなわち、監視部７３は、電位不整合状態を検出したときに、所定のルーチンに基いて、定電圧回路６Ａ〜６Ｃの中から、電位不整合状態の原因となっている定電圧回路を割り出す。そして、監視部７３は、その割り出した定電圧回路に接続されている負荷への電力供給を遮断するように、遮断制限スイッチ７１Ａ〜７１Ｃを制御すると共に、その割り出した定電圧回路をバイパスするように、バイパススイッチ７２Ａ〜７２Ｃを制御する。つまり、割り出した定電圧回路が定電圧回路６Ａであった場合には、遮断制限スイッチ７１Ａをオフ状態にすると共に、バイパススイッチ７２Ａをオン状態にする。また、割り出した定電圧回路が定電圧回路６Ｂであった場合には、遮断制限スイッチ７１Ｂをオフ状態にすると共に、バイパススイッチ７２Ｂをオン状態にする。また、割り出した定電圧回路が定電圧回路６Ｃであった場合には、遮断制限スイッチ７１Ｃをオフ状態にすると共に、バイパススイッチ７２Ｃをオン状態にする。
【０２３１】
図１７は、監視部７３における、定電圧回路６Ａ〜６Ｃの中から、電位不整合状態の原因となっている定電圧回路を割り出すルーチンのフローチャートを示す。監視部７３は、常時、｜Ｖ１＋Ｖ２＋Ｖ３−ＶＳ１｜＜ε（電位ＶＳ１と、設定電圧値Ｖ１〜Ｖ３の和との差の絶対値が、所定値ε未満）であるか否かを判定している（＃２１）。
【０２３２】
｜Ｖ１＋Ｖ２＋Ｖ３−ＶＳ１｜＜εでなければ（＃２１でＮＯ）、監視部７３は、電位不整合状態であると判断し、まず、｜Ｖ２＋Ｖ３−ＶＳ２｜＜ε（電位ＶＳ２と、設定電圧値Ｖ２、Ｖ３の和との差の絶対値が、所定値ε未満）であるか否かを判定する（＃２２）。
【０２３３】
ここで、｜Ｖ２＋Ｖ３−ＶＳ２｜＜εであれば（＃２２でＹＥＳ）、監視部７３は、定電圧回路６Ａが、電位不整合状態の原因となっている定電圧回路であると判定する（＃２３）。そして、監視部７３は、定電圧回路６Ａに接続されている負荷８Ａへの電力供給を遮断（遮断制限スイッチ７１Ａをオフ状態に）する（＃２４）。その後、監視部７３は、定電圧回路６Ａをバイパス（バイパススイッチ７２Ａをオン状態に）する。これにより、定電圧回路６Ａは、正常に動作できなくなるが、定電圧回路６Ｂと定電圧回路６Ｃは、正常に動作できる。
【０２３４】
また、上記＃２２において｜Ｖ２＋Ｖ３−ＶＳ２｜＜εでなければ（＃２２でＮＯ）、監視部７３は、｜Ｖ３−ＶＳ３｜＜ε（電位ＶＳ３と、設定電圧値Ｖ３との差の絶対値が、所定値ε未満）であるか否かを判定する（＃２５）。
【０２３５】
ここで、｜Ｖ３−ＶＳ３｜＜εであれば（＃２５でＹＥＳ）、監視部７３は、定電圧回路６Ｂが、電位不整合状態の原因となっている定電圧回路であると判定する（＃２６）。そして、監視部７３は、定電圧回路６Ｂに接続されている負荷８Ｂへの電力供給を遮断（遮断制限スイッチ７１Ｂをオフ状態に）する（＃２７）。その後、監視部７３は、定電圧回路６Ｂをバイパス（バイパススイッチ７２Ｂをオン状態に）する。これにより、定電圧回路６Ｂは、正常に動作できなくなるが、定電圧回路６Ａと定電圧回路６Ｃは、正常に動作できる。
【０２３６】
また、上記＃２５において｜Ｖ３−ＶＳ３｜＜εでなければ（＃２５でＮＯ）、監視部７３は、定電圧回路６Ｃが、電位不整合状態の原因となっている定電圧回路であると判定する（＃２８）。そして、監視部７３は、定電圧回路６Ｃに接続されている負荷８Ｃへの電力供給を遮断（遮断制限スイッチ７１Ｃをオフ状態に）する（＃２９）。その後、監視部７３は、定電圧回路６Ｃをバイパス（バイパススイッチ７２Ｃをオン状態に）する。これにより、定電圧回路６Ｃは、正常に動作できなくなるが、定電圧回路６Ａと定電圧回路６Ｂは、正常に動作できる。
【０２３７】
監視部７３は、このように、定電圧回路６Ａ〜６Ｃの中から、電位不整合状態の原因となっている定電圧回路を割り出して、その定電圧回路に接続されている負荷への電力供給を遮断すると共に、その定電圧回路をバイパスする。
【０２３８】
本実施形態の電源システム１によれば、電位不整合状態の場合（すなわち、負荷８Ａ〜８Ｃのいずれかに過負荷（負荷短絡を含む）や地絡などの異常が発生した場合）、その負荷への電力供給が遮断されることにより、安全を確保できる。また、電位不整合状態の原因となっている負荷の接続されている定電圧回路がバイパスされることにより、他の定電圧回路は、正常に動作し得る。また、異常を検出するための監視部７３が１つで済む。
【０２３９】
なお、本実施形態において、監視部７３は、図１８に示すルーチンに基いて、定電圧回路６Ａ〜６Ｃの中から、電位不整合状態の原因となっている定電圧回路を割り出すようにしてもよい。
【０２４０】
図１８に示すルーチンでは、監視部７３は、常時、｜Ｖ１＋Ｖ２＋Ｖ３−ＶＳ１｜＜ε（電位ＶＳ１と、設定電圧値Ｖ１〜Ｖ３の和との差の絶対値が、所定値ε未満）であるか否かを判定している（＃４１）。
【０２４１】
｜Ｖ１＋Ｖ２＋Ｖ３−ＶＳ１｜＜εでなければ（＃４１でＮＯ）、監視部７３は、電位不整合状態であると判断し、まず、定電圧回路６Ａに接続されている負荷８Ａへの電力供給を遮断（遮断制限スイッチ７１Ａをオフ状態に）する（＃４２）。そして、監視部７３は、｜Ｖ２＋Ｖ３−ＶＳ２｜＜ε（電位ＶＳ２と、設定電圧値Ｖ２、Ｖ３の和との差の絶対値が、所定値ε未満）であるか否かを判定する（＃４３）。
【０２４２】
ここで、｜Ｖ２＋Ｖ３−ＶＳ２｜＜εであれば（＃４３でＹＥＳ）、監視部７３は、定電圧回路６Ａが、電位不整合状態の原因となっている定電圧回路であると判定する（＃４４）。その後、監視部７３は、定電圧回路６Ａをバイパス（バイパススイッチ７２Ａをオン状態に）する。これにより、定電圧回路６Ａは、正常に動作できなくなるが、定電圧回路６Ｂと定電圧回路６Ｃは、正常に動作できる。
【０２４３】
また、上記＃４３において｜Ｖ２＋Ｖ３−ＶＳ２｜＜εでなければ（＃４３でＮＯ）、監視部７３は、定電圧回路６Ｂに接続されている負荷８Ｂへの電力供給を遮断（遮断制限スイッチ７１Ｂをオフ状態に）する（＃４５）。また、定電圧回路６Ａに接続されている負荷８Ａへの電力供給を再開（遮断制限スイッチ７１Ａをオン状態に）する（＃４６）。そして、監視部７３は、｜Ｖ３−ＶＳ３｜＜ε（電位ＶＳ３と、設定電圧値Ｖ３との差の絶対値が、所定値ε未満）であるか否かを判定する（＃４７）。
【０２４４】
ここで、｜Ｖ３−ＶＳ３｜＜εであれば（＃４７でＹＥＳ）、監視部７３は、定電圧回路６Ｂが、電位不整合状態の原因となっている定電圧回路であると判定する（＃４８）。その後、監視部７３は、定電圧回路６Ｂをバイパス（バイパススイッチ７２Ｂをオン状態に）する。これにより、定電圧回路６Ｂは、正常に動作できなくなるが、定電圧回路６Ａと定電圧回路６Ｃは、正常に動作できる。
【０２４５】
また、上記＃４７において｜Ｖ３−ＶＳ３｜＜εでなければ（＃４７でＮＯ）、監視部７３は、定電圧回路６Ｃが、電位不整合状態の原因となっている定電圧回路であると判定する（＃４９）。そして、監視部７３は、定電圧回路６Ｃに接続されている負荷８Ｃへの電力供給を遮断（遮断制限スイッチ７１Ｃをオフ状態に）する（＃５０）。また、定電圧回路６Ｂに接続されている負荷８Ｂへの電力供給を再開（遮断制限スイッチ７１Ｂをオン状態に）する（＃５１）。その後、監視部７３は、定電圧回路６Ｃをバイパス（バイパススイッチ７２Ｃをオン状態に）する。これにより、定電圧回路６Ｃは、正常に動作できなくなるが、定電圧回路６Ａと定電圧回路６Ｂは、正常に動作できる。
【０２４６】
監視部７３は、このようなルーチンに基いて、定電圧回路６Ａ〜６Ｃの中から、電位不整合状態の原因となっている定電圧回路を割り出すものであってもよい。
【０２４７】
また、本実施形態において、遮断制限スイッチ７１Ａ〜７１Ｃは、定電圧回路６Ａ〜６Ｃに接続される負荷８Ａ〜８Ｃへの電力供給を制限するものであってもよい。
【０２４８】
＜第１４の実施形態＞
図１９は、第１４の実施形態による電源システムの構成を示す。本実施形態の電源システム１は、監視部７３の構成が上記第１０の実施形態と異なっている。監視部７３によって、異常監視手段が構成されている。本実施形態の電源システム１では、監視部７３は、外部装置３と通信する機能を有しており、通信部でもある。また、本実施形態の電源システム１では、各接続部５は、接続端子５ａ、５ｂに加えて、信号用（通信用）端子５ｃをさらに備えている。また、本実施形態の電源システム１では、接続される対象としている外部装置３の構成が、上記第１０の実施形態と異なっている。本実施形態における他の構成については、上記第１０の実施形態と同様である。
【０２４９】
各外部装置３は、負荷８に加えて、外部側通信部９を備えている。電源システム１は、電力を供給する外部装置３として、このような構成のものを対象としている。各外部装置３は、負荷８が接続端子５ａ、５ｂ間に接続されることに加えて、外部側通信部９が信号用端子５ｃに接続されるように、接続部５に接続される。
【０２５０】
監視部７３は、接続部５Ａ〜５Ｃに接続される外部装置３Ａ〜３Ｃ（定電圧回路６Ａ〜６Ｃに接続される負荷８Ａ〜８Ｃを有する外部装置３Ａ〜３Ｃ）との間で双方向通信を行うようになっている。すなわち、監視部７３は、接続部５Ａの信号用端子５ｃを介して、外部装置３Ａとの間で双方向通信を行う。また、監視部７３は、接続部５Ｂの信号用端子５ｃを介して、外部装置３Ｂとの間で双方向通信を行う。また、監視部７３は、接続部５Ｃの信号用端子５ｃを介して、外部装置３Ｃとの間で双方向通信を行う。また、監視部７３は、遮断制限スイッチ７１Ａ〜７１Ｃ及びバイパススイッチ７２Ａ〜７２Ｃを制御する。
【０２５１】
各外部装置３Ａ〜３Ｃは、異常診断機能を有しており、異常診断結果を示す異常診断情報を、外部側通信部９Ａ〜９Ｃから信号用端子５ｃを介して電源システム１の監視部７３に送信する。
【０２５２】
監視部７３は、外部装置３Ａ〜３Ｃからの異常診断情報に基いて、定電圧回路６Ａ〜６Ｃの異常や、定電圧回路６Ａ〜６Ｃに接続されている負荷８Ａ〜８Ｃの異常を検出する。
【０２５３】
監視部７３は、異常を検出していないときには、遮断制限スイッチ７１Ａ〜７１Ｃをオン状態にしていると共に、バイパススイッチ７２Ａ〜７２Ｃをオフ状態にしている。そして、監視部７３は、異常を検出したときに、定電圧回路６Ａ〜６Ｃのうちの異常のある定電圧回路に接続されている負荷、又は負荷８Ａ〜８Ｃのうちの異常のある負荷への電力供給を遮断するように、遮断制限スイッチ７１Ａ〜７１Ｃを制御する。また、監視部７３は、これと同時に、定電圧回路６Ａ〜６Ｃのうちの異常のある定電圧回路、又は負荷８Ａ〜８Ｃのうちの異常のある負荷が接続されている定電圧回路をバイパスするように、バイパススイッチ７２Ａ〜７２Ｃを制御する。
【０２５４】
すなわち、監視部７３は、異常を検出したときに、異常診断情報に基いて、定電圧回路６Ａ〜６Ｃの中から、定電圧回路６Ａ〜６Ｃのうちの異常のある定電圧回路、又は負荷８Ａ〜８Ｃのうちの異常のある負荷が接続されている定電圧回路を割り出す。そして、監視部７３は、その割り出した定電圧回路に接続されている負荷への電力供給を遮断するように、遮断制限スイッチ７１Ａ〜７１Ｃを制御すると共に、その割り出した定電圧回路をバイパスするように、バイパススイッチ７２Ａ〜７２Ｃを制御する。つまり、割り出した定電圧回路が定電圧回路６Ａであった場合には、遮断制限スイッチ７１Ａをオフ状態にすると共に、バイパススイッチ７２Ａをオン状態にする。また、割り出した定電圧回路が定電圧回路６Ｂであった場合には、遮断制限スイッチ７１Ｂをオフ状態にすると共に、バイパススイッチ７２Ｂをオン状態にする。また、割り出した定電圧回路が定電圧回路６Ｃであった場合には、遮断制限スイッチ７１Ｃをオフ状態にすると共に、バイパススイッチ７２Ｃをオン状態にする。
【０２５５】
本実施形態の電源システム１によれば、定電圧回路６Ａ〜６Ｃ、又は負荷８Ａ〜８Ｃに異常が発生した場合、異常が発生した定電圧回路に接続されている負荷、又は異常が発生した負荷への電力供給が遮断されることにより、安全を確保できる。また、異常が発生した定電圧回路、又は異常が発生した負荷が接続されている定電圧回路がバイパスされることにより、他の定電圧回路は、正常に動作し得る。
【０２５６】
また、電源システム１と外部装置３との間で双方向通信を行うことによって、外部装置３の異常診断機能自身や異常診断情報を伝達する手段を含めて、各種の異常の有無を確認することができる。また、電源システム１内の過電流検出機能では検出し得ない外部装置３に特有の問題に対しても、安全対策がとれる。
【０２５７】
なお、本実施形態において、外部装置３から、異常診断情報の他に、各種データを送信するようにして、監視部７３は、外部装置３から送信される各種データに基いて、システム電流Ｉｓの電流値の制御やその他の各種制御を行うようにしてもよい。監視部７３は、外部装置３の各種設定情報を双方向通信によって取り込んで、その取り込んだ外部装置３の各種設定情報を利用するようにしてもよい。また、双方向通信は、光や無線などでもよい。
【０２５８】
＜第１５の実施形態＞
図２０は、第１５の実施形態による電源システムの構成を示す。本実施形態の電源システム１は、定電圧回路６の構成が上記第５の実施形態と異なっている。本実施形態における他の構成については、上記第５の実施形態と同様である。
【０２５９】
本実施形態では、定電圧回路６Ａ〜６Ｃは、シャントレギュレータであり、そのシャントレギュレータとして、ツェナーダイオード９１が使用されている。すなわち、定電圧回路６Ａ〜６Ｃは、各々、入力ライン６ａにツェナーダイオード９１のカソードが接続され、入力ライン６ｂにツェナーダイオード９１のアノードが接続された構成となっている。
【０２６０】
本実施形態の電源システム１によれば、定電圧回路６がツェナーダイオード９１を使用したシャントレギュレータであるため、小型で低価格のシステムを実現できる。
【符号の説明】
【０２６１】
１    電源システム
２    直流電源
３、３Ａ、３Ａ−１、３Ａ−２、３Ｂ、３Ｃ、３Ｃ−１、３Ｃ−２    外部装置
３ｏ    コネクタ
４    入力部
４ａ、４ｂ    入力端子
５、５Ａ、５Ｂ、５Ｃ    接続部
５ａ、５ｂ    接続端子
５ｃ    信号用端子
６、６Ａ、６Ｂ、６Ｃ、６Ｘ    定電圧回路
６ａ、６ｂ    入力ライン
６ｃ    動作回路部
６ｄ、６ｅ    出力ライン
７    システム電流制御部
８、８Ａ、８Ａ−１、８Ａ−２、８Ｂ、８Ｃ、８Ｃ−１、８Ｃ−２    負荷
９、９Ａ、９Ｂ、９Ｃ    外部側通信部
１１    可変抵抗器
１２    定電流回路
１３    ＭＯＳＦＥＴ
１４    抵抗
１５    電圧制御部
２１    ＭＯＳＦＥＴ
２２    抵抗
２３、２３Ａ、２３Ｂ、２３Ｃ    電圧制御部
３１    定電流回路
３２    レジスタ
４１、４１Ａ、４１Ｂ、４１Ｃ    ＭＯＳＦＥＴ
４２    制御回路部
５１    定電流回路
５２    カウンタ
５３    タイマ回路
５４    制御回路部
６１    表示部
６２    接続端子部
６３    筐体
６３ａ    筐体の側面
６４Ａ、６４Ｂ、６４Ｃ    インジケータ
６５    ランプ
７１、７１Ａ、７１Ｂ、７１Ｃ    遮断制限スイッチ
７２、７２Ａ、７２Ｂ、７２Ｃ    バイパススイッチ
７３、７３Ａ、７３Ｂ、７３Ｃ    監視部
８１    監視部
９１    ツェナーダイオード
【図１】
2012060692.tif 000003
【図２】
2012060692.tif 000004
【図３】
2012060692.tif 000005
【図４】
2012060692.tif 000006
【図５】
2012060692.tif 000007
【図６】
2012060692.tif 000008
【図７】
2012060692.tif 000009
【図８】
2012060692.tif 000010
【図９】
2012060692.tif 000011
【図１０】
2012060692.tif 000012
【図１１】
2012060692.tif 000013
【図１２】
2012060692.tif 000014
【図１３】
2012060692.tif 000015
【図１４】
2012060692.tif 000016
【図１５】
2012060692.tif 000017
【図１６】
2012060692.tif 000018
【図１７】
2012060692.tif 000019
【図１８】
2012060692.tif 000020
【図１９】
2012060692.tif 000021
【図２０】
2012060692.tif 000022
【図２１】
2012060692.tif 000023